(57)【要約】      （修正有）【課題】冠水に伴う需要家に対して保護を図る。【解決手段】冠水通報に伴うリミッター電流制限器（３０Ａ以内）における待機電流に係る省エネスイッチ手段を具備する構成は，主開閉器２に係る再投入オン手段に伴う，開放された各操作スイッチＳ１〜Ｓ６に係る開放確認手段と，冠水通報に伴うリミッター電流制限器（３０Ａ以内）での，手動投入操作における確認使用であって，以降の操作は，電力量計側器１１の電源側スイッチＳ３のオンに伴う待機電流に係る開放確認手段とし，手動オンに伴う負荷機器２７並列接続状態に係る点灯は，ゼロクロス開閉器Ｓ５のオンに伴う負荷機器２７における消費使用の電力量とし，電力量計側器１１と計側収集保存送信機器１０において，分岐ブレーカ３負荷側４に係る消費使用の電力量とし，共に継続して計測値を収集と保存する手段を備えた送信配信総合システムと待機電流に係る省エネスイッチ方法。【選択図】図１
2016057260.tif 000002
【特許請求の範囲】
【請求項１】
冠水等に伴う１時間雨量が６２ミリ等の観測通報における需要家において，前記冠水通報に伴うリミッター電流制限器１定格契約Ａに接続の，一次送りブレーカ７負荷側８の検知操作手段１ａは，前記観測通報に伴い，操作手段で，主開閉器２はオフ手段と，前記リミッター電流制限器１定格契約Ａをリミッター電流制限器３０Ａに切り替わり手段とし，前記リミッター電流制限器３０Ａに接続の主開閉器２はオフ手段に伴う，一次送りブレーカ７負荷側８の検知操作手段２ａは，接地極Ｅ３‐１に係るスイッチＳ１をＤＣでオンと，分岐ブレーカ３負荷側４のＬ側幹線４Ｌの間に係る，帯電を放電する手段を具備する構成とし，前記放電に伴う一次送りブレーカ７負荷側８の検知操作手段３ａは，主開閉器２はオフ手段の検知と放電手段の構成において，接地極Ｅ３‐１に係るスイッチＳ１をＤＣでオフと，放電の開放手段を具備する構成とし，需要家側には，前記放電の開放手段を具備する構成に伴う，一次送りブレーカ７負荷側８における電力量計側器９において，前記一次送りブレーカ７負荷側８に係る，前記検知操作手段及び設置した機器における消費使用の電力量は，前記冠水通報に伴うリミッター電流制限器３０Ａ以内とし，前記電力量計側器９と計側収集保存送信機器１０において，前記消費使用の電力量として，継続して計測値を収集と保存する手段を備えた送信配信総合システム。
【請求項２】
冠水等に伴う１時間雨量が６２ミリ等の観測通報における需要家において，リミッター電流制限器３０Ａに接続の主開閉器２はオフ手段に伴う，放電の開放手段を具備する構成とし，前記放電の開放手段を具備する構成に伴う一次送りブレーカ７負荷側８の検知操作手段１ｂは，分岐ブレーカ３負荷側４の中性Ｎ側幹線４Ｎに係る，線路の帯電に伴う電流検知５１と，分岐ブレーカ３負荷側４の線路間には，電源４Ｌ側スイッチＳ１と電力量計側器１１と，分岐ブレーカ３負荷側４の線路４Ｌと４Ｎの間には，クリップ測定対象体２０を具備する構成と，各操作スイッチＳ１〜Ｓ６の開放手段を具備する構成とし，以降の操作は，並列接続状態２０及び漏れ接続状態直列２１における帯電手段を具備する構成に伴う電流検知５１とで，遮断と遮断された分岐ブレーカ５２負荷側５３における回路開放に係る消灯の検知手段を具備する構成とし，前記各操作スイッチＳ１〜Ｓ６の開放手段を具備する構成と，各入力側に切り替わり手段を具備する構成とし，前記リミッター電流制限器３０Ａに接続の主開閉器２を再投入オン手段と，前記検知操作手段及び設置した機器における消費使用の電力量は，前記冠水通報に伴うリミッター電流制限器３０Ａ以内とし，電力量計側器９と計側収集保存送信機器１０において，前記消費使用の電力量として，共に継続して計測値を収集と保存する手段を備えた請求項１記載の送信配信総合システム。
【請求項３】
冠水通報に伴うリミッター電流制限器３０Ａ以内における待機電流に係る省エネスイッチ手段を具備する構成は，開放された各操作スイッチＳ１〜Ｓ６の開放確認手段を具備する構成と，前記冠水通報に伴うリミッター電流制限器３０Ａ以内での，手動投入操作における確認使用であって，以降の操作は，電力量計側器１１の電源４Ｌ側スイッチＳ３をオンと，待機電流の開放確認とし，電源Ｌ側４Ｌリモコン開閉器Ｓ４をオンと，ゼロクロス開閉器Ｓ５はオフと，中性Ｎ側４Ｎ中性極スイッチＳ６をオンとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電とし，分岐ブレーカ３負荷側４線路の端末接地極付コンセント１９には，プラグ接続測定対象体２１負荷機器２７の電源４Ｌ側スイッチＳ８手動オンに係る，直列及び並列接続状態においての点灯確認使用となる手段を具備する構成とし，前記点灯確認後においては，電源Ｌ側４Ｌリモコン開閉器Ｓ４をオンとゼロクロス開閉器Ｓ５をオンと，中性Ｎ側４Ｎ中性極スイッチＳ６をオンとし，分岐ブレーカ３負荷側４線路の端末接地極付コンセント１９には，点検手段を具備する構成のプラグ接続測定対象体２１とし，負荷機器２７の電源４Ｌ側スイッチＳ８を，手動オンに係る設置した機器における消費使用の電力量は，前記冠水通報に伴うリミッター電流制限器３０Ａ以内とし，前記電力量計側器１１と計側収集保存送信機器１０において，前記消費使用の電力量として，共に継続して計測値を収集と保存する手段を備えた請求項１または２記載の送信配信総合システムと待機電流に係る省エネスイッチ方法。
【発明の詳細な説明】
【技術分野】
【０００１】
本発明は，平成２６年７月京都府福知山市における，２４時間雨量が３００ミリを超え，市街地が冠水になり，冠水に伴う需要家において，その後の復旧対策として，１時間雨量が６２ミリの観測通知に伴い操作スイッチで，主開閉器２はオフ手段と，リミッター電流制限器１定格契約Ａをリミッター電流制限器３０Ａに切り替わり手段とし，前記リミッター電流制限器３０Ａに接続の主開閉器２はオフ手段とし，以降の操作は，前記スイッチＳ２とスイッチＳ６をオンとする手段を具備する構成と，前記操作スイッチで漏れ接続状態直列における帯電に伴う電流検知５１で，遮断と遮断された分岐ブレーカ５２負荷側５３における回路開放に係る消灯の検知手段とし，前記操作スイッチで各スイッチＳ１〜Ｓ６はオフとする手段を具備する構成と，前記操作スイッチで各入力側に切り替わり手段を具備する構成とし，前記操作スイッチでリミッター電流制限器３０Ａに接続の主開閉器２を再投入オン手段に関するものである。
【背景技術】
【０００２】
例えば「電気用品安全法における電気用品の技術上の基準を定める省令の取り扱い細則」や「ＩＥＣ６０３３５−１：１９９４の国際標準規格」では，電気用品（測定対象体）に接続される２本の交流電源線（以下，「電源線」ともいう）のうちいずれか一本と電気用品の外装（露出充電部）との間の漏れ電流を測定する主旨が指示されている，この種の漏れ電流を測定可能な漏れ電流測定装置として（特許文献１，特許文献２）や，低圧電気設備の漏電電流状態を測定する装置（特許文献３）及び計測値を収集と保存する手段を具備する構成よりなる送信配信総合システムと待機電流に係る省エネスイッチ方法（特許文献４）が知られている。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【特許文献４】特願２０１４−１１７９９９号
【発明の概要】
【発明が解決しようとする課題】
【０００４】
しかしながら，地震における需要家において，（特許文献４）の従来技術では，地震の検知とリミッター電流制限器に接続の主幹の開放と，放電スイッチの投入及び開放で，幹線の帯電を放電とし，
次に，電気用品（測定対象体）を用いた漏れ電流を測定と検知であって，分岐ブレーカの負荷側における回路に係る検知確認と，分岐ブレーカの開放による回路の開放とで構成されている。
【０００５】
しかも，地震保険等の契約には，地震で避難する時は，主開閉器又は電気のブレーカをオフにするとなっている。
しかし，地震保険に係る前記主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器に接続の一次送りブレーカ負荷側に設置した電力量計側器による各機器の使用消費電流と，それ以降の消費者保護策は，なされていない。前記発明は，これらの問題点を解決するためになされたものである。
しかも，冠水に係る損害保険等の契約には，主開閉器又は電気のブレーカをオフにするとなっている。
【０００６】
しかし，冠水に係る損害保険等に係る前記主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器１に接続の一次送りブレーカ負荷側に設置した電力量計側器による各機器の使用消費電流と，以降の操作と，消費者保護策は，なされていない。
本発明は，これらの問題点を解決するためになされたものである。
【課題を解決するための手段】
【０００７】
本発明は，１時間雨量が６２ミリの観測に伴い，冠水通報に伴う需要家において，その後の復旧対策として、操作スイッチで、主開閉器２はオフ手段と、リミッター電流制限器１定格契約Ａをリミッター電流制限器３０Ａに切り替わり手段とし、以降の操作は，前記スイッチＳ２とスイッチＳ６をオンとする手段を具備する構成と，漏れ接続状態直列における帯電に伴う電流検知５１で，遮断と遮断された分岐ブレーカ５２負荷側５３における回路開放に係る消灯の検知と，各操作スイッチＳ１〜Ｓ６はオフとする手段を具備する構成とし，前記操作で各入力側に切り替わり手段を具備する構成と，前記リミッター電流制限器３０Ａに接続の主開閉器２を再投入オン手段に関するものである。
【０００８】
１．冠水等に伴う１時間雨量が６２ミリ等の観測通報における需要家において，前記冠水通報に伴うリミッター電流制限器１定格契約Ａに接続の，一次送りブレーカ７負荷側８の検知操作手段１ａは，前記１時間雨量が６２ミリ等の観測通報に伴い，操作スイッチで，主開閉器２はオフ手段と，前記リミッター電流制限器１定格契約Ａをリミッター電流制限器３０Ａに切り替わり手段とし，
２．前記リミッター電流制限器３０Ａに接続の主開閉器２はオフ手段に伴う，一次送りブレーカ７負荷側８の検知操作手段２ａは，接地極Ｅ３‐１に係るスイッチＳ１をＤＣでオンと，分岐ブレーカ３負荷側４のＬ側幹線４Ｌの間に係る，帯電を放電する手段を具備する構成とし，
３．前記放電に伴う一次送りブレーカ７負荷側８の検知操作手段３ａは，前記リミッター電流制限器３０Ａに接続の主開閉器２はオフ手段の検知と放電手段の構成において，接地極Ｅ３‐１に係るスイッチＳ１をＤＣでオフと，放電の開放手段を具備する構成とし，
４．需要家側には，前記放電の開放手段を具備する構成に伴う，一次送りブレーカ７負荷側８における電力量計側器９において，前記一次送りブレーカ７負荷側８に係る，前記検知操作手段及び設置した機器における消費使用の電力量は，前記冠水通報に伴うリミッター電流制限器３０Ａ以内とし，電力量計側器９と計側収集保存送信機器１０において，前記消費使用の電力量として，継続して計測値を収集と保存する手段を備えた送信配信総合システム。
【０００９】
５．前記放電の開放手段を具備する構成に伴う，一次送りブレーカ７負荷側８の検知操作手段１ｂは，分岐ブレーカ３負荷側４の中性Ｎ側幹線４Ｎに係る，線路の帯電に伴う電流検知５１と，分岐ブレーカ３負荷側４の線路間には，電源４Ｌ側スイッチＳ１と電力量計側器１１と，分岐ブレーカ３負荷側４の線路４Ｌと４Ｎの間には，クリップ測定対象体２０を具備する構成とし，以降の操作は，電源Ｌ側４Ｌリモコン開閉器Ｓ４はオフと，ゼロクロス開閉器Ｓ５もオフと，前記電力量計側器１１の電源４Ｌ側スイッチＳ３はオフと，中性Ｎ側４Ｎ中性極スイッチＳ６もオフと，接地極Ｅ３‐１に係るスイッチＳ１はオフと，一次送りブレーカ７負荷側８に係るスイッチＳ２もオフと，各操作スイッチＳ１〜Ｓ６の開放手段を具備する構成とし，
【００１０】
６．前記各操作スイッチＳ１〜Ｓ６の開放手段を具備する構成に伴う，一次送りブレーカ７負荷側８の検知操作手段２ｂは，接地極Ｅ３‐１に係るスイッチＳ１をオンと，一次送りブレーカ７負荷側８に係るスイッチＳ２をオンとし，スイッチＳ２に接続ネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知であって，前記ドリフト電流ｅ４は，中性Ｎ側幹線４Ｎに係る線路の帯電と，分岐ブレーカ３負荷側４の線路４Ｌと４Ｎの間に設置した，クリップ測定対象体２０における並列接続状態と，前記並列接続状態に係る線路の帯電手段を具備する構成とし，
【００１１】
７．前記点灯の検知と線路の帯電手段を具備する構成に伴う，一次送りブレーカ７負荷側８の検知操作手段３ｂは，線路の帯電に伴う前記点灯の検知と，前記分岐ブレーカ３負荷側４の中性Ｎ側幹線４Ｎに係る，線路の帯電に伴う電流検知５１とし，前記分岐ブレーカ３を遮断と遮断回路５２における，消灯に伴う検知手段を具備する構成とし，
【００１２】
８．前記遮断回路５２における消灯に伴う検知手段を具備する構成に伴う，一次送りブレーカ７負荷側８の検知操作手段４ｂは，中性Ｎ側４Ｎ中性極スイッチＳ６はオフと，接地極Ｅ３‐１に係るスイッチＳ１はオフと，一次送りブレーカ７負荷側８に係るスイッチＳ２もオフとで，各操作スイッチＳ１〜Ｓ６の開放手段を具備する構成となる。
【００１３】
９．よって，前記分岐ブレーカ３負荷側４の線路４Ｌと４Ｎの間に設置したクリップ測定対象体２０における並列接続状態であって，前記分岐ブレーカ３負荷側４の中性Ｎ側幹線４Ｎに係る線路の帯電に伴う，電流検知５１と，前記分岐ブレーカ３を遮断と遮断回路５２における消灯の検知と，各操作スイッチＳ１〜Ｓ６の開放手段を具備する構成と，以降の操作は，前記クリップ測定対象体２０取り外し手段を具備する構成とし，前記分岐ブレーカ３負荷側４の線路４Ｌと４Ｎの間において，並列接続状態に係る線路の帯電に伴う電流検知５１であって，前記分岐ブレーカ３を遮断と遮断回路５２と消灯の検知と，各操作スイッチＳ１〜Ｓ６の開放における確認構成手段は，非破壊確認手段を具備する構成となる。
【００１４】
１０．前記クリップ測定対象体２０取り外し手段を具備する構成に伴う一次送りブレーカ７負荷側８の検知操作手段５ｂは，分岐ブレーカ３負荷側４の中性Ｎ側幹線４Ｎに係る線路の帯電に伴う電流検知５１と，分岐ブレーカ３負荷側４の線路間には，電源４Ｌ側スイッチＳ３と電力量計側器１１と，分岐ブレーカ３負荷側４線路の端末接地極付コンセント１９と，プラグ接続測定対象体２１であって，前記測定対象体２１の機器内負荷側線路Ｌ及び線路Ｎと電気用品の外装２６間における漏れ接続Ｒ３及び漏れ接続Ｒ４において，前記直列接続状態に係る線路帯電手段を具備する構成とし以降の操作は，電源Ｌ側４Ｌリモコン開閉器Ｓ４はオフとゼロクロス開閉器Ｓ５もオフと，中性Ｎ側４Ｎ中性極スイッチＳ６をオンと，一次送りブレーカ７負荷側８に係るスイッチＳ２をオンとし，前記スイッチＳ２に接続ネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知であって，前記ドリフト電流ｅ４は中性Ｎ側幹線４Ｎに係る線路の帯電と，分岐ブレーカ３負荷側４線路の端末接地極付コンセント１９には，プラグ接続測定対象体２１における直列接続状態とし，前記直列接続状態に係る線路の帯電手段を具備する構成となる。
【００１５】
１１．前記点灯の検知と線路の帯電手段を具備する構成に伴う一次送りブレーカ７負荷側８の検知操作手段６ｂは，線路の帯電に伴う前記点灯の検知と，前記分岐ブレーカ３負荷側４の中性Ｎ側幹線４Ｎに係る線路の帯電に伴う電流検知５１と，前記分岐ブレーカ３を遮断と遮断回路５２における消灯に伴う検知手段を具備する構成とし，
【００１６】
１２．前記遮断回路５２における消灯の検知手段を具備する構成に伴う一次送りブレーカ７負荷側８の検知操作手段７ｂは，中性Ｎ側４Ｎ中性極スイッチＳ６はオフと，一次送りブレーカ７負荷側８に係るスイッチＳ２もオフと，各操作スイッチＳ１〜Ｓ６の開放手段を具備する構成とし，
【００１７】
１３．よって，前記プラグ接続測定対象体２１を用いた手段を具備する構成は，前記分岐ブレーカ３負荷側４の中性Ｎ側幹線４Ｎに係る線路の帯電に伴う電流検知５１と，前記分岐ブレーカ３を遮断と遮断回路５２における消灯に伴う検知確認と各操作スイッチＳ１〜Ｓ６の開放確認手段を具備する構成とし，以降の操作は，前記確認遮断された分岐ブレーカ５２の入力側をＸと，前記開放確認された各操作スイッチＳ１〜Ｓ６の入力側をＹとする手段を具備する構成とし，
【００１８】
１４．前記各操作スイッチＳ１〜Ｓ６の開放手段を具備する構成と，遮断分岐ブレーカ５２開放手段を具備する構成とに伴う，一次送りブレーカ７負荷側８の検知操作手段４ａは，前記確認遮断された分岐ブレーカ５２の入力側をＸと，前記開放確認された各操作スイッチＳ１〜Ｓ６の入力側をＹとする手段を具備する構成とし，
【００１９】
１５．前記冠水通報に伴う需要家において，その後の復旧対策として，１時間雨量が６２ミリの観測通報に伴い，操作スイッチで，主開閉器２はオフ手段と，リミッター電流制限器１定格契約Ａをリミッター電流制限器３０Ａに切り替わり手段とし，操作方法は，前記冠水通報に伴う検知とリミッター電流制限器３０Ａに接続の主開閉器２に係るオフ確認と，主開閉器２の再投入オン手段を具備する構成であって，前記構成による供給は，前記開放された分岐ブレーカ５２の入力側Ｘと，前記開放された各操作スイッチＳ１〜Ｓ６の入力側はＹとして切り替わり手段を具備する。
【００２０】
前記開放された分岐ブレーカ５２の入力側Ｘとして切り替わり手段を具備する構成において，需要家における、供給入力に伴う操作手段は，
イ．前記開放された分岐ブレーカ５２おいては，分電盤内機器となるので開放確認と，前記測定対象体２１の機器内負荷側線路Ｌ及び線路Ｎと電気用品の外装２６間における漏れ接続Ｒ３及び漏れ接続Ｒ４は，直列接続状態においての修復依頼となる手段を具備する構成とし，
ロ．前記開放された分岐ブレーカ５２おいては，分電盤内機器となるので開放確認と，前記分岐ブレーカ３負荷側４の線路４Ｌと４Ｎの間に設置したクリップ測定対象体２０は，並列接続状態においての修復依頼となる手段を具備する構成となる。
【００２１】
前記開放された各操作スイッチＳ１〜Ｓ６の入力側はＹとして切り替わり手段を具備する構成と，それ以降の需要家において，供給に伴う入力操作手段は，前記開放された各操作スイッチＳ１〜Ｓ６の開放確認手段を具備する構成と，前記冠水通報に伴う検知におけるリミッター電流制限器３０Ａに接続において，手動投入操作における確認使用とし．
【００２２】
以降の操作は，電力量計側器１１の電源４Ｌ側スイッチＳ３をオンと，プラグ接続測定対象体２１負荷機器２７の電源４Ｌ側スイッチＳ８は手動オフと開放を確認とし，電源Ｌ側４Ｌリモコン開閉器Ｓ４をオンとゼロクロス開閉器Ｓ５はオフと，中性Ｎ側４Ｎ中性極スイッチＳ６はオンとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電と，分岐ブレーカ３負荷側４線路の端末接地極付コンセント１９における，プラグ接続測定対象体２１負荷機器２６の電源４Ｌ側スイッチＳ８は手動オフに係る並列接続状態（トラッキング状態Ｒ２）は，並列接続状態においての修復依頼として点灯確認使用となる手段を具備する構成とし，前記点灯確認後においては，電源Ｌ側４Ｌリモコン開閉器Ｓ４はオフとゼロクロス開閉器Ｓ５はオフと，中性Ｎ側４Ｎ中性極スイッチＳ６はオフとする。
【００２３】
前記開放された各操作スイッチＳ１〜Ｓ６の入力側はＹとして切り替わり手段を具備する構成であって，それ以降の需要家において供給された入力操作手段は，前記開放された各操作スイッチＳ１〜Ｓ６の開放確認手段を具備する構成とし，前記冠水通報に伴うリミッター電流制限器３０Ａ以内での，手動投入操作における確認使用となる。
【００２４】
以降の操作は，電力量計側器１１の電源４Ｌ側スイッチＳ３をＯＮと，待機電流の開放確認とし，電源Ｌ側４Ｌリモコン開閉器Ｓ４をオンとゼロクロス開閉器Ｓ５はオフと，中性Ｎ側４Ｎ中性極スイッチＳ６はオフとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電と，分岐ブレーカ３負荷側４線路の端末接地極付コンセント１９における，プラグ接続測定対象体２１負荷機器２７の電源４Ｌ側スイッチＳ８を手動オンに係る機器内負荷側線路Ｌ及び線路Ｎと電気用品の外装２６間における漏れ接続Ｒ３及び漏れ接続Ｒ４は，直列接続状態においての修復依頼として点灯確認使用となる手段を具備する構成とし，前記点灯確認後においては，電源Ｌ側４Ｌリモコン開閉器Ｓ４はオフとゼロクロス開閉器Ｓ５はオフと，中性Ｎ側４Ｎ中性極スイッチＳ６はオフとする。
【００２５】
前記冠水通報に伴うリミッター電流制限器３０Ａ以内における待機電流に係る省エネスイッチ手段を具備する構成は，開放された各操作スイッチＳ１〜Ｓ６の開放確認手段を具備する構成と，前記冠水通報に伴うリミッター電流制限器３０Ａ以内での，手動投入操作における確認使用であって，以降の操作は，電力量計側器１１の電源４Ｌ側スイッチＳ３をオンと，待機電流の開放確認とし，電源Ｌ側４Ｌリモコン開閉器Ｓ４をオンと，ゼロクロス開閉器Ｓ５はオフと，中性Ｎ側４Ｎ中性極スイッチＳ６をオンとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電とし，分岐ブレーカ３負荷側４線路の端末接地極付コンセント１９には，プラグ接続測定対象体２１負荷機器２７の電源４Ｌ側スイッチＳ８手動オンに係る，並列接続状態においての点灯確認使用となる手段を具備する構成とし，前記点灯確認後においては，電源Ｌ側４Ｌリモコン開閉器Ｓ４をオンとゼロクロス開閉器Ｓ５をオンと，中性Ｎ側４Ｎ中性極スイッチＳ６をオンとし，分岐ブレーカ３負荷側４線路の端末接地極付コンセント１９には，点検手段を具備する構成のプラグ接続測定対象体２１とし，前記負荷機器２７の電源４Ｌ側スイッチＳ８を，手動オンに係る設置した機器における消費使用の電力量は，前記冠水通報に伴うリミッター電流制限器３０Ａ以内とし，前記電力量計側器１１と計側収集保存送信機器１０において，前記消費使用の電力量として，共に継続して計測値を収集と保存する手段を備えた送信配信総合システムと待機電流に係る省エネスイッチ方法。
【００２６】
１．冠水等に伴う１時間雨量が６２ミリ等の観測通報における需要家において，前記冠水通報に伴うリミッター電流制限器１定格契約Ａに接続の，一次送りブレーカ７負荷側８の検知操作手段１ａは，前記１時間雨量が６２ミリの観測通報に伴い，操作手段で，主開閉器２はオフ手段とリミッター電流制限器１定格契約Ａをリミッター電流制限器３０Ａに切り替わり手段とし，
２．前記主開閉器２のオフに伴う，一次送りブレーカ７負荷側８の検知操作手段２ａは，接地極Ｅ３‐１に係るスイッチＳ１をＤＣでオンと，分岐ブレーカ３負荷側４のＬ側幹線４Ｌの間に係る，帯電を放電する手段を具備する構成とし，
３．前記放電に伴う一次送りブレーカ７負荷側８の検知操作手段３ａは，主開閉器２はオフ手段の検知と放電手段の構成において，接地極Ｅ３‐１に係るスイッチＳ１をＤＣでオフと，放電の開放手段を具備する構成とし，
４．需要家側には，前記放電の開放手段を具備する構成に伴う，一次送りブレーカ７負荷側８における電力量計側器９において，前記一次送りブレーカ７負荷側８に係る，
前記検知操作手段及び設置した機器における消費使用の電力量は，前記冠水通報に伴うリミッター電流制限器３０Ａ以内とし，前記電力量計側器９と計側収集保存送信機器１０において，前記消費使用の電力量として，継続して計測値を収集と保存する手段を備えた送信配信総合システム。
【００２７】
５．冠水等に伴う１時間雨量が６０ミリ等の観測通報における需要家において，主開閉器２はオフ手段の検知と放電の開放手段を具備する構成とし，前記放電の開放手段を具備する構成に伴う一次送りブレーカ７負荷側８の検知操作手段１ｂは，分岐ブレーカ３負荷側４の中性Ｎ側幹線４Ｎに係る，線路の帯電に伴う電流検知５１と，分岐ブレーカ３負荷側４の線路間には，電源４Ｌ側スイッチＳ１と電力量計側器１１と，分岐ブレーカ３負荷側４の線路４Ｌと４Ｎの間には，クリップ測定対象体２０を具備する構成と，各操作スイッチＳ１〜Ｓ６の開放手段を具備する構成とし，
６．以降の操作は，並列接続状態２０に係る線路の帯電手段を具備する構成と，漏れ接続状態直列２１における帯電手段を具備する構成に伴う電流検知５１とで，遮断と遮断された分岐ブレーカ５２負荷側５３における回路開放に係る消灯の検知手段を具備する構成と，前記各操作スイッチＳ１〜Ｓ６の開放手段を具備する構成と，各入力側に切り替わり手段を具備する構成とし，リミッター電流制限器３０Ａに接続の主開閉器２を再投入オン手段に係る，前記検知操作手段及び設置した機器における消費使用の電力量は，前記冠水通報に伴うリミッター電流制限器３０Ａ以内とし，電力量計側器９と計側収集保存送信機器１０において，前記消費使用の電力量として，共に継続して計測値を収集と保存する手段を備えた送信配信総合システム。
【発明の効果】
【００２８】
１．消費使用の電力量として，共に継続して計測値を収集と保存する手段を備えた送信配信総合システムは，前記消費使用の電力量を，冠水通報に伴う需要家において在宅情報手段を具備する構成とし，
２．需要家による以降の操作は，消費者保護情報と，インターネットとＬＡＮ接続パソコンを用いて，冠水通報に伴う需要家において在宅情報として，電気設備のバリヤフリー対策とし，冠水通報に伴う需要家においての前記在宅情報をもとに，駆け付ける手段になる効果がある。
３．冠水通報に伴う需要家において、前記電気設備のバリヤフリー対策には，測定対象体の漏れ状態直列２１及び測定対象体のトラッキング状態並列２０と，測定装置等を用いて定期的に測定する手段になる効果がある。
４．インターネットとＬＡＮ接続パソコンを用いて，冠水通報に伴う需要家において、在宅情報が得られる手段になる効果がある。
【図面の簡単な説明】
【００２９】
【図１】リミッター電流制限器３０Ａと消費使用の電力量を共に継続して計測値を収集と保存する手段を備えた送信配信総合システム構成図
【図２】リミッター電流制限器３０Ａと消費使用の電力量を共に継続して計測値を収集と保存する手段を備えた送信配信総合システムブロック図
【発明を実施するための形態】
【００３０】
図1記載の送信配信総合システム構成図を用いて，本発明の１時間雨量が６２ミリ等の観測通報に伴う，実施の形態に伴う操作手段と作用の説明をする。１．冠水等に伴う１時間雨量が６２ミリ等の観測通報における需要家において，前記冠水通報に伴うリミッター電流制限器１定格契約Ａに接続の，一次送りブレーカ７負荷側８の検知操作手段１ａは，前記１時間雨量が６２ミリ等の観測通報に伴い，操作スイッチで，主開閉器２はオフ手段と，リミッター電流制限器１定格契約Ａをリミッター電流制限器３０Ａに切り替わり手段とし，
２．前記主開閉器２のオフに伴う，一次送りブレーカ７負荷側８の検知操作手段２ａは，接地極Ｅ３‐１に係るスイッチＳ１をＤＣでオンと，分岐ブレーカ３負荷側４のＬ側幹線４Ｌの間に係る，帯電を放電する手段を具備する構成とし，
３．前記放電に伴う一次送りブレーカ７負荷側８の検知操作手段３ａは，主開閉器２はオフ手段の検知と放電手段の構成において，接地極Ｅ３‐１に係るスイッチＳ１をＤＣでオフと，放電の開放手段を具備する構成とし，
４．需要家側には，前記放電の開放手段を具備する構成に伴う，一次送りブレーカ７負荷側８における電力量計側器９において，前記一次送りブレーカ７負荷側８に係る，前記検知操作手段及び設置した機器における消費使用の電力量は，前記冠水通報に伴うリミッター電流制限器３０Ａ以内とし，電力量計側器９と計側収集保存送信機器１０において，前記消費使用の電力量として，継続して計測値を収集と保存する手段を備えた送信配信総合システム。
【００３１】
５．前記放電の開放手段を具備する構成に伴う，一次送りブレーカ７負荷側８の検知操作手段１ｂは，分岐ブレーカ３負荷側４の中性Ｎ側幹線４Ｎに係る，線路の帯電に伴う電流検知５１と，分岐ブレーカ３負荷側４の線路間には，電源４Ｌ側スイッチＳ１と電力量計側器１１と，分岐ブレーカ３負荷側４の線路４Ｌと４Ｎの間には，クリップ測定対象体２０を具備する構成とし，以降の操作は，電源Ｌ側４Ｌリモコン開閉器Ｓ４はオフと，ゼロクロス開閉器Ｓ５もオフと，前記電力量計側器１１の電源４Ｌ側スイッチＳ３はオフと，中性Ｎ側４Ｎ中性極スイッチＳ６もオフと，接地極Ｅ３‐１に係るスイッチＳ１はオフと，一次送りブレーカ７負荷側８に係るスイッチＳ２もオフとし，各操作スイッチＳ１〜Ｓ６の開放手段を具備する構成とし，
【００３２】
６．前記各操作スイッチＳ１〜Ｓ６の開放手段を具備する構成に伴う，一次送りブレーカ７負荷側８の検知操作手段２ｂは，接地極Ｅ３‐１に係るスイッチＳ１をオンと，一次送りブレーカ７負荷側８に係るスイッチＳ２をオンとし，スイッチＳ２に接続ネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知であって，前記ドリフト電流ｅ４は，中性Ｎ側幹線４Ｎに係る線路の帯電と，分岐ブレーカ３負荷側４の線路４Ｌと４Ｎの間に設置した，クリップ測定対象体２０における並列接続状態と，前記並列接続状態に係る線路の帯電手段を具備する構成とし，
【００３３】
７．前記点灯の検知と線路の帯電手段を具備する構成に伴う，一次送りブレーカ７負荷側８の検知操作手段３ｂは，線路の帯電に伴う前記点灯の検知と，前記分岐ブレーカ３負荷側４の中性Ｎ側幹線４Ｎに係る，線路の帯電に伴う電流検知５１とし，前記分岐ブレーカ３を遮断と遮断回路５２における，消灯に伴う検知手段を具備する構成とし，
【００３４】
８．前記遮断回路５２における消灯に伴う検知手段を具備する構成に伴う，一次送りブレーカ７負荷側８の検知操作手段４ｂは，中性Ｎ側４Ｎ中性極スイッチＳ６はオフと，接地極Ｅ３‐１に係るスイッチＳ１はオフと，一次送りブレーカ７負荷側８に係るスイッチＳ２もオフとで，各操作スイッチＳ１〜Ｓ６の開放手段を具備する構成となる。
【００３５】
９．よって，前記分岐ブレーカ３負荷側４の線路４Ｌと４Ｎの間に設置したクリップ測定対象体２０における並列接続状態であって，前記分岐ブレーカ３負荷側４の中性Ｎ側幹線４Ｎに係る線路の帯電に伴う，電流検知５１と，前記分岐ブレーカ３を遮断と遮断回路５２における消灯の検知と，各操作スイッチＳ１〜Ｓ６の開放手段を具備する構成は，その後において，前記クリップ測定対象体２０取り外し手段を具備する構成とし，前記分岐ブレーカ３負荷側４の線路４Ｌと４Ｎの間において，並列接続状態に係る線路の帯電に伴う電流検知５１であって，前記分岐ブレーカ３を遮断と遮断回路５２と消灯の検知と，各操作スイッチＳ１〜Ｓ６の開放における確認構成手段は，非破壊確認手段を具備する構成となる。
【００３６】
図２記載の送信配信総合システム構成図を用いて，本発明の１時間雨量が６２ミリ等の観測通報に伴う，実施の形態に伴う操作手段と作用の説明をする。
１０．前記クリップ測定対象体２０取り外し手段を具備する構成に伴う一次送りブレーカ７負荷側８の検知操作手段５ｂは，分岐ブレーカ３負荷側４の中性Ｎ側幹線４Ｎに係る線路の帯電に伴う電流検知５１と，分岐ブレーカ３負荷側４の線路間には，電源４Ｌ側スイッチＳ３と電力量計側器１１と，分岐ブレーカ３負荷側４線路の端末接地極付コンセント１９には，プラグ接続測定対象体２１であって，前記測定対象体２１の機器内負荷側線路Ｌ及び線路Ｎと電気用品の外装２６間における漏れ接続Ｒ３及び漏れ接続Ｒ４において，前記直列接続状態に係る線路帯電手段を具備する構成とし，以降の操作は，電源Ｌ側４Ｌリモコン開閉器Ｓ４はオフとゼロクロス開閉器Ｓ５もオフと，中性Ｎ側４Ｎ中性極スイッチＳ６をオンと，一次送りブレーカ７負荷側８に係るスイッチＳ２をオンとし，前記スイッチＳ２に接続ネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知であって，前記ドリフト電流ｅ４は中性Ｎ側幹線４Ｎに係る線路の帯電とし，分岐ブレーカ３負荷側４線路の端末接地極付コンセント１９には，プラグ接続測定対象体２１における直列接続状態と，前記直列接続状態に係る線路の帯電手段を具備する構成とし，
【００３７】
１１．前記点灯の検知と線路の帯電手段を具備する構成に伴う一次送りブレーカ７負荷側８の検知操作手段６ｂは，線路の帯電に伴う前記点灯の検知と，前記分岐ブレーカ３負荷側４の中性Ｎ側幹線４Ｎに係る線路の帯電に伴う電流検知５１と，前記分岐ブレーカ３を遮断と遮断回路５２における消灯に伴う検知手段を具備する構成とし，
【００３８】
１２．前記遮断回路５２における消灯の検知手段を具備する構成に伴う一次送りブレーカ７負荷側８の検知操作手段７ｂは，中性Ｎ側４Ｎ中性極スイッチＳ６はオフと，一次送りブレーカ７負荷側８に係るスイッチＳ２もオフと，各操作スイッチＳ１〜Ｓ６の開放手段を具備する構成とし，
【００３９】
１３．よって，前記プラグ接続測定対象体２１を用いた手段を具備する構成は，前記分岐ブレーカ３負荷側４の中性Ｎ側幹線４Ｎに係る線路の帯電に伴う電流検知５１と，前記分岐ブレーカ３を遮断と遮断回路５２における消灯に伴う検知確認と各操作スイッチＳ１〜Ｓ６の開放確認手段を具備する構成と，前記確認遮断された分岐ブレーカ５２の入力側をＸと，前記開放確認された各操作スイッチＳ１〜Ｓ６の入力側をＹとする手段を具備する構成とし，
【００４０】
１４．前記各操作スイッチＳ１〜Ｓ６の開放手段を具備する構成と，遮断分岐ブレーカ５２開放手段を具備する構成とに伴う，一次送りブレーカ７負荷側８の検知操作手段４ａは，前記確認遮断された分岐ブレーカ５２の入力側をＸと，前記開放確認された各操作スイッチＳ１〜Ｓ６の入力側をＹとする手段を具備する構成とし，
【００４１】
１５．冠水通報に伴う需要家において，その後の復旧対策として，１時間雨量が６２ミリの観測通報に伴い，操作スイッチで，主開閉器２はオフ手段と，リミッター電流制限器１定格契約Ａをリミッター電流制限器３０Ａに切り替わり手段であって，以降の操作は，前記冠水通報に伴う検知におけるリミッター電流制限器３０Ａに接続の主開閉器２に係るオフ確認と，主開閉器２における再投入オン手段を具備する構成であって，前記構成による供給は，前記開放された分岐ブレーカ５２の入力側Ｘとし，前記開放された各操作スイッチＳ１〜Ｓ６の入力側はＹとして切り替わり手段となる。
【００４２】
前記開放された分岐ブレーカ５２の入力側Ｘとして切り替わり手段を具備する構成において，需要家における供給入力に伴う操作手段は，
イ．前記開放された分岐ブレーカ５２おいては，分電盤内機器となるので開放確認と，前記測定対象体２１の機器内負荷側線路Ｌ及び線路Ｎと電気用品の外装２６間における漏れ接続Ｒ３及び漏れ接続Ｒ４は，直列接続状態においての修復依頼となる手段を具備する構成とし，
ロ．前記開放された分岐ブレーカ５２おいては，分電盤内機器となるので開放確認と，前記分岐ブレーカ３負荷側４の線路４Ｌと４Ｎの間に設置したクリップ測定対象体２０は，並列接続状態においての修復依頼となる手段を具備する構成となる。
【００４３】
前記開放された各操作スイッチＳ１〜Ｓ６の入力側はＹとして切り替わり手段を具備する構成と，それ以降の需要家において，供給に伴う入力操作手段は，前記開放された各操作スイッチＳ１〜Ｓ６の開放確認手段を具備する構成と，前記冠水通報に伴う検知におけるリミッター電流制限器３０Ａに接続における，手動投入操作における確認使用とし．
【００４４】
以降の操作は，電力量計側器１１の電源４Ｌ側スイッチＳ３をオンと，プラグ接続測定対象体２１負荷機器２７の電源４Ｌ側スイッチＳ８は手動オフと開放を確認とし，電源Ｌ側４Ｌリモコン開閉器Ｓ４をオンとゼロクロス開閉器Ｓ５はオフと，中性Ｎ側４Ｎ中性極スイッチＳ６はオンとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電と，分岐ブレーカ３負荷側４線路の端末接地極付コンセント１９における，プラグ接続測定対象体２１負荷機器２６の電源４Ｌ側スイッチＳ８は手動オフに係る並列接続状態（トラッキング状態Ｒ２）は，並列接続状態においての修復依頼として点灯確認使用となる手段を具備する構成とし，
前記点灯確認後においては，電源Ｌ側４Ｌリモコン開閉器Ｓ４はオフとゼロクロス開閉器Ｓ５はオフと，中性Ｎ側４Ｎ中性極スイッチＳ６はオフとする。
【００４５】
前記開放された各操作スイッチＳ１〜Ｓ６の入力側はＹとして切り替わり手段を具備する構成であって，それ以降の需要家において供給された入力操作手段は，前記開放された各操作スイッチＳ１〜Ｓ６の開放確認手段を具備する構成とし，前記冠水通報に伴うリミッター電流制限器３０Ａ以内での、手動投入操作における確認使用となる。
【００４６】
以降の操作は，電力量計側器１１の電源４Ｌ側スイッチＳ３をＯＮと，待機電流の開放確認とし，電源Ｌ側４Ｌリモコン開閉器Ｓ４をオンとゼロクロス開閉器Ｓ５はオフと，中性Ｎ側４Ｎ中性極スイッチＳ６はオフとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電と，分岐ブレーカ３負荷側４線路の端末接地極付コンセント１９における，プラグ接続測定対象体２１負荷機器２７の電源４Ｌ側スイッチＳ８を手動オンに係る機器内負荷側線路Ｌ及び線路Ｎと電気用品の外装２６間における漏れ接続Ｒ３及び漏れ接続Ｒ４は，直列接続状態においての修復依頼として点灯確認使用となる手段を具備する構成とし，
前記点灯確認後においては，電源Ｌ側４Ｌリモコン開閉器Ｓ４はオフとゼロクロス開閉器Ｓ５はオフと，中性Ｎ側４Ｎ中性極スイッチＳ６はオフとする。
【００４７】
１．冠水等に伴う１時間雨量が６２ミリ等の観測通報における需要家において，前記冠水通報に伴うリミッター電流制限器１定格契約Ａに接続された，一次送りブレーカ７負荷側８の検知操作手段１ａは，前記１時間雨量が６２ミリの観測通報に伴い、操作手段で，主開閉器２はオフ手段と，前記リミッター電流制限器１定格契約Ａをリミッター電流制限器３０Ａに切り替わり手段とし，
２．前記主開閉器２のオフに伴う，一次送りブレーカ７負荷側８の検知操作手段２ａは，接地極Ｅ３‐１に係るスイッチＳ１をＤＣでオンと，分岐ブレーカ３負荷側４のＬ側幹線４Ｌの間に係る，帯電を放電する手段を具備する構成とし，
３．前記放電に伴う一次送りブレーカ７負荷側８の検知操作手段３ａは，主開閉器２はオフ手段の検知と放電手段の構成において，接地極Ｅ３‐１に係るスイッチＳ１をＤＣでオフと，放電の開放手段を具備する構成とし，
４．需要家側には，前記放電の開放手段を具備する構成に伴う，一次送りブレーカ７負荷側８における電力量計側器９において，前記一次送りブレーカ７負荷側８に係る，
前記検知操作手段及び設置した機器における消費使用の電力量は，前記冠水通報に伴うリミッター電流制限器３０Ａ以内とし，前記電力量計側器９と計側収集保存送信機器１０において，前記消費使用の電力量として，継続して計測値を収集と保存する手段を備えた送信配信総合システム。
【００４８】
５．前記冠水等に伴う１時間雨量が６２ミリ等の観測通報における需要家において，主開閉器２はオフ手段の検知と放電の開放手段を具備する構成とし，前記放電の開放手段を具備する構成に伴う一次送りブレーカ７負荷側８の検知操作手段１ｂは，分岐ブレーカ３負荷側４の中性Ｎ側幹線４Ｎに係る，線路の帯電に伴う電流検知５１と，分岐ブレーカ３負荷側４の線路間には，電源４Ｌ側スイッチＳ１と電力量計側器１１と，分岐ブレーカ３負荷側４の線路４Ｌと４Ｎの間には，クリップ測定対象体２０を具備する構成と，各操作スイッチＳ１〜Ｓ６の開放手段を具備する構成とし，
６．以降の操作は，並列接続状態２０に係る線路の帯電手段を具備する構成と，漏れ接続状態直列２１における帯電手段を具備する構成に伴う電流検知５１とで，遮断と遮断された分岐ブレーカ５２負荷側５３における回路開放に係る消灯の検知手段を具備する構成とし，前記各操作スイッチＳ１〜Ｓ６の開放手段を具備する構成と，各入力側に切り替わり手段を具備する構成とし，リミッター電流制限器３０Ａに接続の主開閉器２を再投入オン手段に係る，前記検知操作手段及び設置した機器における消費使用の電力量は，前記冠水通報に伴うリミッター電流制限器３０Ａ以内とし、電力量計側器９と計側収集保存送信機器１０において，前記消費使用の電力量として，共に継続して計測値を収集と保存する手段を備えた送信配信総合システム。
【００４９】
７．前記冠水通報に伴うリミッター電流制限器３０Ａ以内における待機電流に係る省エネスイッチ手段を具備する構成は，電力量計側器１１の電源４Ｌ側スイッチＳ３と、開放された各操作スイッチＳ１〜Ｓ６の開放確認手段を具備する構成と，前記冠水通報に伴うリミッター電流制限器３０Ａ以内での、手動投入操作における確認使用であって，
８．以降の操作は，前記電力量計側器１１の電源４Ｌ側スイッチＳ３をオンと，待機電流の開放確認とし，電源Ｌ側４Ｌリモコン開閉器Ｓ４をオンと，ゼロクロス開閉器Ｓ５はオフと，中性Ｎ側４Ｎ中性極スイッチＳ６をオンとし，前記ゼロクロス開閉器Ｓ５に並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源Ｌ側幹線４Ｌに係る線路の帯電とし，分岐ブレーカ３負荷側４線路の端末接地極付コンセント１９には，プラグ接続測定対象体２１負荷機器２７の電源４Ｌ側スイッチＳ８手動オンに係る，並列接続状態においての点灯確認使用となる手段を具備する構成とし，９．前記点灯確認後においては，電源Ｌ側４Ｌリモコン開閉器Ｓ４をオンとゼロクロス開閉器Ｓ５をオンと，中性Ｎ側４Ｎ中性極スイッチＳ６をオンとし，分岐ブレーカ３負荷側４線路の端末接地極付コンセント１９には，点検手段を具備する構成のプラグ接続測定対象体２１とし，前記負荷機器２７の電源４Ｌ側スイッチＳ８を，手動オンに係る設置した機器における消費使用の電力量は，前記冠水通報に伴うリミッター電流制限器３０Ａ以内とし，前記電力量計側器１１と計側収集保存送信機器１０において，前記消費使用の電力量として，共に継続して計測値を収集と保存する手段を備えた送信配信総合システムと待機電流に係る省エネスイッチ方法。
【００５０】
１．消費使用の電力量として，継続して計測値を収集と保存する手段を備えた送信配信総合システムは，前記消費使用の電力量を，冠水等に伴う需要家において在宅情報手段を具備する構成と効果がある。
２．以降の操作は，消費者保護情報と，インターネットとＬＡＮ接続パソコンを用いて，冠水等に伴う需要家において在宅情報として，電気設備のバリヤフリー対策とし，冠水等に伴う需要家においての前記在宅情報をもとに，駆け付ける手段になる効果がある。
３．尚，冠水等に伴う需要家において，前記電気設備のバリヤフリー対策には，測定対象体の漏れ状態直列２１及び測定対象体のトラッキング状態並列２０と，測定装置等を用いて定期的に測定する手段となる効果がある。
４．インターネットとＬＡＮ接続パソコンを用いて，冠水等に伴う需要家において，在宅情報が得られる手段になる効果がある。
【符号の説明】
【００５１】
１.リミッター電流制限器３０Ａ，２．主開閉器２，
３.分岐ブレーカ３，４Ｌ.負荷側４Ｌ，４Ｎ.負荷側４Ｎ，
７.一次送りブレーカ７，８Ｎ.負荷側８Ｎ，８Ｌ.負荷側８Ｌ，
９.電力量計側器９，１０.計側収集保存送信機器１０，１１.電力量計側器１１，
１９.端末接地極付コンセント１９，２０.クリップ測定対象体２０，
２１.プラグ接続測定対象体２１，
２６.電気用品の外装２６，２７.負荷機器２７，
５１.線路の帯電に伴う電流検知５１，５２.遮断と遮断回路５２，
Ｐ１.電源側Ｐ１，Ｐ２.中性側Ｐ２，Ｌ４.電源Ｌ側４Ｌ，Ｎ４.中性Ｎ側Ｎ４，
４Ｌ.電源４Ｌ，４Ｎ.中性４Ｎ，Ｒ２.トラッキング状態Ｒ２，
Ｒ３.漏れ接続Ｒ３，Ｒ４.漏れ接続Ｒ４，
ｅ１.ネオンランプｅ１，ｅ２.ＬＥＤｅ２，ｅ３.フォトカプラーｅ３，
ｅ４.ドリフト電流ｅ４，
ｅ５.並列接続ネオンランプｅ５，ｅ６.ＬＥＤｅ６，ｅ７.ドリフト電流ｅ７，
Ｘ.電源側Ｐ１，Ｘ.中性側Ｐ２，Ｙ.電源側Ｐ１，Ｙ.中性側Ｐ２，
Ｓ１.接地極Ｅ３−１に係るスイッチＳ１，Ｓ２.負荷側８に係るスイッチＳ２，
Ｓ３.電源４Ｌ側スイッチＳ３，
Ｓ４.電源Ｌ側４Ｌリモコン開閉器Ｓ４，Ｓ５.ゼロクロス開閉器Ｓ５，
Ｓ６.中性Ｎ側４Ｎ中性極スイッチＳ６，Ｓ７.接地極Ｅ３−１に係るスイッチＳ７，
Ｓ８.負荷機器２７の電源４Ｌ側スイッチＳ８，
一次送りブレーカ７負荷側８の検知操作手段は：１ａ，２ａ，３ａ，４ａ，一次送りブレーカ７負荷側８の検知操作手段は：１ｂ，２ｂ，３ｂ，４ｂ，５ｂ，６ｂ，７ｂ，
【図１】
2016057260.tif 000003
【図２】
2016057260.tif 000004
【手続補正書】
【提出日】平成26年9月26日(2014.9.26)
【手続補正１】
【補正対象書類名】図面
【補正対象項目名】全図
【補正方法】変更
【補正の内容】
【図１】
2016057260.tif 000005
【図２】
2016057260.tif 000006
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
冠水等に伴う１時間雨量が６２ミリ等の観測通報における需要家において，前記冠水通報に伴うリミッター電流制限器(１)の定格契約(Ａ)に接続された，一次送りブレーカ(７)負荷側(８)の検知操作手段１ａは，観測通報に伴い，手動操作でリミッター電流制限器(１)に接続された主開閉器(２)のＤＣ開放手段と，リミッター電流制限器(１)の定格契約(Ａ)をリミッター電流制限器(３０Ａ)に切り替わり手段とし，リミッター電流制限器(３０Ａ)に接続された主開閉器(２)の開放に伴う，一次送りブレーカ(７)負荷側(８)の検知操作手段２ａは，接地極Ｅ３‐１に係るスイッチ(Ｓ１)をＤＣでオンに伴う分岐ブレーカ(３)負荷側(４)のＬ側幹線(Ｌ４)に係る，帯電を放電する手段とし，前記放電に伴う一次送りブレーカ(７)負荷側(８)の検知操作手段３ａは，主開閉器(２)に係る開放手段と放電手段の構成において，接地極Ｅ３‐１に係るスイッチ(Ｓ１)をＤＣでオフに伴う放電の開放手段を具備する構成とし，需要家側には，前記放電の開放手段を具備する構成に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，前記冠水通報に伴うリミッター電流制限器(３０Ａ)以内とし，電力量計側器(９)と計側収集保存送信機器(１０)において，前記負荷側(８)に係る消費使用の電力量とし，継続して計測値を収集と保存する手段を備えた送信配信総合システム。
【請求項２】
冠水等に伴う１時間雨量が６２ミリ等の観測通報における需要家において，リミッター電流制限器(３０Ａ)に接続された主開閉器(２)に係る開放手段に伴う，放電の開放手段とし，放電の開放手段に伴う一次送りブレーカ(７)負荷側(８)の検知操作手段１ｂは，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的としたクリップ測定対象体(２０)と，各操作スイッチ(Ｓ１)〜(Ｓ６)に係る開放手段を具備する構成とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，前記リミッター電流制限器(３０Ａ)に接続された主開閉器(２)は，再投入オン手段とし，一次送りブレーカ(７)負荷側(８)に係る，検知操作手段及び常時供給機器に係る消費使用の電力量は，前記冠水通報に伴うリミッター電流制限器(３０Ａ)以内とし，電力量計側器(９)と計側収集保存送信機器(１０)において，前記負荷側(８)に係る消費使用の電力量とし，共に継続して計測値を収集と保存する手段を備えた請求項１記載の送信配信総合システム。
【請求項３】
冠水通報に伴うリミッター電流制限器(３０Ａ以内)における待機電流に係る省エネスイッチ手段を具備する構成は，主開閉器(２)に係る再投入オン手段に伴う，開放された各操作スイッチ(Ｓ１)〜(Ｓ６)に係る開放確認手段と，冠水通報に伴うリミッター電流制限器(３０Ａ以内)での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，ドリフト電流ｅ７は，電源側に係る線路の帯電とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)及び不点灯を確認とし，中性Ｎ側中性極スイッチ(Ｓ６)をオフとし，手動オンに伴う直列接続状態での点灯は，漏れ接続(Ｒ３)及び漏れ接続(Ｒ４)と不点灯を確認とし，中性Ｎ側中性極スイッチ(Ｓ６)をオンと，手動オンに伴う負荷機器(２７)並列接続状態に係る点灯及び不点灯を断線確認とし，手動オンに伴う負荷機器(２７)並列接続状態に係る点灯は，ゼロクロス開閉器(Ｓ５)のオンに伴う負荷機器(２７)における消費使用の電力量とし，電力量計側器(１１)と計側収集保存送信機器(１０)において，前記分岐ブレーカ(３)負荷側(４)に係る消費使用の電力量とし，共に継続して計測値を収集と保存する手段を備えた請求項１または２記載の送信配信総合システムと待機電流に係る省エネスイッチ方法。
【手続補正２】
【補正対象書類名】明細書
【補正対象項目名】全文
【補正方法】変更
【補正の内容】
【発明の詳細な説明】
【技術分野】
【０００１】
本発明は，平成２６年７月京都府福知山市における，２４時間雨量が３００ミリを超え，市街地が冠水になり，冠水に伴う需要家において，その後の復旧対策として，１時間雨量が６２ミリの観測通知に伴い手動操作スイッチで，主開閉器(２)のＤＣ開放手段と，リミッター電流制限器(１)の定格契約(Ａ)をリミッター電流制限器(３０Ａ)に切り替わり手段とし，前記リミッター電流制限器(３０Ａ)に接続された主開閉器(２)をＤＣ開放手段とし，以降の操作は，前記スイッチ(Ｓ２)とスイッチ(Ｓ６)をオンとする手段を具備する構成と，前記操作スイッチで漏れ接続状態直列における帯電に伴う電流検知(５１)で，回路遮断と遮断された分岐ブレーカ(５２)負荷側(５３)における回路開放に係る消灯の検知手段とし，前記操作スイッチで各スイッチ(Ｓ１)〜(Ｓ６)はオフとする手段を具備する構成と，前記操作スイッチで各入力側に切り替わり手段を具備する構成とし，前記操作スイッチでリミッター電流制限器(３０Ａ)に接続された主開閉器(２)を再投入オン手段に関するものである。
【背景技術】
【０００２】
例えば「電気用品安全法における電気用品の技術上の基準を定める省令の取り扱い細則」や「ＩＥＣ６０３３５−１：１９９４の国際標準規格」では，電気用品（測定対象体）に接続される２本の交流電源線（以下，「電源線」ともいう）のうちいずれか一本と電気用品の外装（露出充電部）との間の漏れ電流を測定する主旨が指示されている，この種の漏れ電流を測定可能な漏れ電流測定装置として（特許文献１，特許文献２）や，低圧電気設備の漏電電流状態を測定する装置（特許文献３）及び計測値を収集と保存する手段を具備する構成よりなる送信配信総合システムと待機電流に係る省エネスイッチ方法（特許文献４）が知られている。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【特許文献４】特願２０１４−１１７９９９号
【発明の概要】
【発明が解決しようとする課題】
【０００４】
しかしながら，地震における需要家において，（特許文献４）の従来技術では，地震の検知とリミッター電流制限器に接続の主幹の開放と，放電スイッチの投入及び開放で，幹線の帯電を放電とし，次に，電気用品（測定対象体）を用いた漏れ電流を測定と検知であって，分岐ブレーカの負荷側における回路に係る検知確認と，分岐ブレーカの開放による回路の開放とで構成されている。
【０００５】
しかも，地震保険等の契約には，地震で避難する時は，主開閉器又は電気のブレーカをオフにするとなっている。しかし，地震保険に係る前記主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器に接続の一次送りブレーカ負荷側に設置した電力量計側器による各機器の使用消費電流と，それ以降の消費者保護策は，なされていない。前記発明は，これらの問題点を解決するためになされたものである。しかも，冠水に係る損害保険等の契約には，主開閉器又は電気のブレーカをオフにするとなっている。
【０００６】
しかし，冠水に係る損害保険等に伴う主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器(１)に接続された一次送りブレーカ負荷側に設置した電力量計側器による各機器の使用消費電流と，以降の操作と，消費者保護策は，なされていない。
本発明は，これらの問題点を解決するためになされたものである。
【課題を解決するための手段】
【０００７】
本発明は，１時間雨量が６２ミリの観測に伴い，冠水通報に伴う需要家において，その後の復旧対策として，手動操作スイッチで，主開閉器(２)の開放手段と，リミッター電流制限器(１)の定格契約(Ａ)をリミッター電流制限器(３０Ａ)に切り替わり手段とし，以降の操作は，スイッチ(Ｓ２)とスイッチ(Ｓ６)をオンとする手段を具備する構成と，漏れ接続状態直列における帯電に伴う電流検知(５１)で，回路遮断と遮断された分岐ブレーカ(５２)負荷側(５３)における回路開放に係る消灯の検知と，各操作スイッチ(Ｓ１)〜(Ｓ６)はオフとする手段を具備する構成とし，前記操作で各入力側に切り替わり手段を具備する構成と，前記リミッター電流制限器(３０Ａ)に接続された主開閉器(２)を再投入オン手段に関するものである。
【０００８】
１．冠水等に伴う１時間雨量が６２ミリ等の観測通報における需要家において，前記冠水通報に伴うリミッター電流制限器(１)の定格契約(Ａ)に接続された，一次送りブレーカ(７)負荷側(８)の検知操作手段１ａは，前記１時間雨量が６２ミリ等の観測通報に伴い，手動操作スイッチで，主開閉器(２)の開放手段と，前記リミッター電流制限器(１)の定格契約(Ａ)をリミッター電流制限器(３０Ａ)に切り替わり手段とし，
２．前記リミッター電流制限器(３０Ａ)に接続された主開閉器(２)の開放手段に伴う，一次送りブレーカ(７)負荷側(８)の検知操作手段２ａは，接地極Ｅ３‐１に係るスイッチ(Ｓ１)をＤＣでオンと，分岐ブレーカ(３)負荷側(４)のＬ側幹線(Ｌ４)に係る，帯電を放電する手段とし，
３．前記放電に伴う一次送りブレーカ(７)負荷側(８)の検知操作手段３ａは，前記リミッター電流制限器(３０Ａ)に接続された主開閉器(２)に係る開放手段の検知と放電手段の構成において，接地極Ｅ３‐１に係るスイッチ(Ｓ１)をＤＣでオフと，放電の開放手段とし，
４．需要家側には，前記放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器(３０Ａ以内)とし，電力量計側器(９)と計側収集保存送信機器(１０)において，消費使用の電力量とし，継続して計測値を収集と保存する手段を備えた送信配信総合システム。
【０００９】
５．前記放電の開放手段に伴う，一次送りブレーカ(７)負荷側(８)の検知操作手段１ｂは，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)を具備する構成とし，以降の操作は，電源側リモコン開閉器(Ｓ４)はオフと，ゼロクロス開閉器(Ｓ５)もオフと，前記電力量計側器(１１)の電源側スイッチ(Ｓ３)はオフと，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフと，各操作スイッチ(Ｓ１)〜(Ｓ６)に係る開放手段となる。
【００１０】
６．前記各操作スイッチ(Ｓ１)〜(Ｓ６)に係る開放手段に伴う，一次送りブレーカ(７)負荷側(８)の検知操作手段２ｂは，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知であって，前記ドリフト電流ｅ４は，中性Ｎ側幹線(Ｎ４)に係る線路の帯電とし，分岐ブレーカ(３)負荷側(４)の線路(４Ｌ)と(４Ｎ)の間には，操作を目的とした，クリップ測定対象体(２０)に係る並列接続状態と，線路(４Ｌ)と(４Ｎ)に係る帯電手段となる。
【００１１】
７．前記点灯の検知と線路の帯電手段に伴う，一次送りブレーカ(７)負荷側(８)の検知操作手段３ｂは，線路の帯電に伴う点灯の検知と，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００１２】
８．前記負荷側(５３)に係る回路開放に伴う消灯の検知手段において，一次送りブレーカ(７)負荷側(８)の検知操作手段４ｂは，中性Ｎ側中性極スイッチ(Ｓ６)はオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段を具備する構成となる。
【００１３】
９．よって，分岐ブレーカ(３)負荷側(４)の線路(４Ｌ)と(４Ｎ)の間には，操作を目的とした，クリップ測定対象体(２０)に係る並列接続状態であって，前記分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，各操作スイッチ(Ｓ１)〜(Ｓ６)に係る開放手段を具備する構成とし，以降の操作は，クリップ測定対象体(２０)の取り外し手段を具備する構成とし，分岐ブレーカ(３)負荷側(４)の線路(４Ｌ)と(４Ｎ)の間において，並列接続状態に係る線路の帯電に伴う電流検知(５１)であって，分岐ブレーカ(３)の回路遮断と遮断回路(５２)に係る消灯の検知と，各操作スイッチ(Ｓ１)〜(Ｓ６)に係る開放における確認構成手段は，経年劣化等に伴う非破壊確認手段を具備する構成となる。
【００１４】
１０．前記クリップ測定対象体(２０)の取り外し手段に伴う一次送りブレーカ(７)負荷側(８)の検知操作手段５ｂは，分岐ブレーカ(３)負荷側(４)の中性Ｎ側幹線(Ｎ４)に係る線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)線路の端末接地極付コンセント(１９)には，操作を目的としたプラグ接続測定対象体(２１)であって，測定対象体(２１)の機器内負荷側線路(Ｌ側)及び線路(Ｎ側)と電気用品の外装(２６)間における漏れ接続(Ｒ３)及び漏れ接続(Ｒ４)において，直列接続状態に係る線路帯電手段とし，以降の操作は，電源側リモコン開閉器(Ｓ４)はオフとゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知であって，前記ドリフト電流ｅ４は中性Ｎ側幹線(４Ｎ)に係る線路の帯電とし，分岐ブレーカ(３)負荷側(４)線路の端末接地極付コンセント(１９)には，操作を目的とした，プラグ接続測定対象体(２１)における直列接続状態とし，前記直列接続状態に係る線路の帯電手段を具備する構成となる。
【００１５】
１１．前記点灯の検知と線路の帯電手段に伴う一次送りブレーカ(７)負荷側(８)の検知操作手段６ｂは，線路の帯電に伴う点灯の検知と，分岐ブレーカ(３)負荷側(４)の中性Ｎ側幹線(４Ｎ)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００１６】
１２．前記負荷側(５３)に係る回路開放に伴う消灯の検知手段であって，一次送りブレーカ(７)負荷側(８)の検知操作手段７ｂは，中性Ｎ側中性極スイッチ(Ｓ６)はオフと，一次送りブレーカ(７)負荷側(８)に係るスイッチ(Ｓ２)もオフと，各操作スイッチ(Ｓ１)〜(Ｓ６)に係る開放手段となる。
【００１７】
１３．よって，プラグ接続測定対象体(２１)を用いた手段を具備する構成は，分岐ブレーカ(３)負荷側(４)の中性Ｎ側幹線(Ｎ４)に係る線路の帯電に伴う点灯の検知と，分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，以降の操作は，回路遮断された分岐ブレーカ(５２)に係る入力側を(Ｘ)と，開放された各操作スイッチ(Ｓ１)〜(Ｓ６)に係る入力側を(Ｙ)とする手段となる。
【００１８】
１４．各操作スイッチ(Ｓ１)〜(Ｓ６)に係る開放手段と，回路遮断分岐ブレーカ(５２)の開放手段に伴う，一次送りブレーカ(７)負荷側(８)の検知操作手段４ａは，回路遮断された分岐ブレーカ(５２)に係る入力側を(Ｘ)と，開放された各操作スイッチ(Ｓ１)〜(Ｓ６)に係る入力側を(Ｙ)とする手段と，主開閉器(２)に係る再投入オン手段を具備する構成となる。
【００１９】
１５．冠水通報に伴う需要家において，その後の復旧対策として，１時間雨量が６２ミリの観測通報に伴い，手動操作でリミッター電流制限器(１)に接続された主開閉器(２)をＤＣ開放手段と，リミッター電流制限器(１)の定格契約(Ａ)をリミッター電流制限器(３０Ａ)に切り替わり手段とし，前記冠水通報に伴う検知とリミッター電流制限器(３０Ａ)に接続された主開閉器(２)に係る再投入オン手段に伴う，回路開放された分岐ブレーカ(５２)に係る入力側(Ｘ)と，開放された各操作スイッチ(Ｓ１)〜(Ｓ６)に係る入力側(Ｙ)に伴う切り替わり手段を具備する構成となる。
【００２０】
Ａ．主開閉器(２)に係る再投入オン手段に伴う，回路開放された分岐ブレーカ(５２)に係る入力側(Ｘ)に伴う切り替わり手段であって，供給入力に伴う操作手段は，
イ．回路開放された分岐ブレーカ(５２)おいては，分電盤内機器となるので回路開放確認とし，分岐ブレーカ(３)負荷側(４)の線路(４Ｌ)と(４Ｎ)の間には，操作を目的としたクリップ測定対象体(２０)に係る並列接続状態においての修復依頼となる手段を具備する構成となる。
ロ．回路開放された分岐ブレーカ(５２)おいては，分電盤内機器となるので回路開放確認とし，分岐ブレーカ(３)負荷側(４)線路の端末接地極付コンセント(１９)には，操作を目的とした，プラグ接続測定対象体(２１)に係る直列接続状態とし，測定対象体(２１)の機器内負荷側線路(Ｌ側)及び線路(Ｎ側)と電気用品の外装(２６)間における漏れ接続(Ｒ３)及び漏れ接続(Ｒ４)は，直列接続状態においての修復依頼となる手段を具備する構成となる。
【００２１】
Ｂ．主開閉器(２)に係る再投入オン手段に伴う，開放された各操作スイッチ(Ｓ１)〜(Ｓ６)に係る入力側(Ｙ)に伴う切り替わり手段であって，供給入力に伴う操作手段は，開放された各操作スイッチ(Ｓ１)〜(Ｓ６)に係る開放確認手段と，冠水通報に伴う検知と，リミッター電流制限器(３０Ａ)に係る切り替わり手段に伴う，供給入力接続と，手動投入操作における確認使用となる。
【００２２】
Ｃ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オフに伴う開放を確認とし，電源側リモコン開閉器(Ｓ４)をオンとゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源側線(４Ｌ)に係る線路の帯電とし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は手動オフに伴う並列接続状態(トラッキング状態Ｒ２)に係る，並列接続状態においての修復依頼とし，点灯確認使用となる手段であって，前記点灯確認後においては，電源側リモコン開閉器(Ｓ４)はオフとゼロクロス開閉器(Ｓ５)はオフと，中性Ｎ側中性極スイッチ(Ｓ６)はオフとする。
【００２３】
Ｄ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オンに伴う確認とし，電源側リモコン開閉器(Ｓ４)をオンとゼロクロス開閉器(Ｓ５)はオフと，中性Ｎ側中性極スイッチ(Ｓ６)はオフとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源側線(４Ｌ)に係る線路の帯電とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オンに伴う機器内負荷側線路(Ｌ側)及び線路(Ｎ側)と電気用品の外装(２６)間における漏れ接続(Ｒ３)及び漏れ接続(Ｒ４)に係る，直列接続状態においての修復依頼とし，点灯確認使用となる手段であって，前記点灯確認後においては，電源側リモコン開閉器(Ｓ４)はオフとゼロクロス開閉器(Ｓ５)はオフと，中性Ｎ側中性極スイッチ(Ｓ６)はオフとする。
【００２４】
冠水通報に伴うリミッター電流制限器(３０Ａ以内)における待機電流に係る省エネスイッチ手段を具備する構成は，主開閉器(２)に係る再投入オン手段に伴う，開放された各操作スイッチ(Ｓ１)〜(Ｓ６)に係る開放確認手段と，冠水通報に伴うリミッター電流制限器(３０Ａ以内)での，手動投入操作における確認使用であって，
Ｅ．以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，ドリフト電流ｅ７は，電源側に係る線路の帯電とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)及び不点灯を確認とし，中性Ｎ側中性極スイッチ(Ｓ６)をオフとし，手動オンに伴う直列接続状態での点灯は，漏れ接続(Ｒ３)及び漏れ接続(Ｒ４)と不点灯を確認と，中性Ｎ側中性極スイッチ(Ｓ６)をオンと，手動オンに伴う負荷機器(２７)並列接続状態に係る点灯及び不点灯を断線確認とし，手動オンに伴う負荷機器(２７)並列接続状態に係る点灯は，ゼロクロス開閉器(Ｓ５)のオンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００２５】
冠水等に伴う１時間雨量が６２ミリ等の観測通報における需要家において，前記冠水通報に伴うリミッター電流制限器(１)の定格契約(Ａ)に接続された，一次送りブレーカ(７)負荷側(８)の検知操作手段１ａは，観測通報に伴い，手動操作でリミッター電流制限器(１)に接続された主開閉器(２)のＤＣ開放手段と，リミッター電流制限器(１)の定格契約(Ａ)をリミッター電流制限器(３０Ａ)に切り替わり手段とし，リミッター電流制限器(３０Ａ)に接続された主開閉器(２)の開放に伴う，一次送りブレーカ(７)負荷側(８)の検知操作手段２ａは，接地極Ｅ３‐１に係るスイッチ(Ｓ１)をＤＣでオンに伴う分岐ブレーカ(３)負荷側(４)のＬ側幹線に係る，帯電を放電する手段とし，前記放電に伴う一次送りブレーカ(７)負荷側(８)の検知操作手段３ａは，主開閉器(２)に係る開放手段と放電手段の構成において，接地極Ｅ３‐１に係るスイッチ(Ｓ１)をＤＣでオフに伴う放電の開放手段を具備する構成とし，需要家側には，前記放電の開放手段を具備する構成に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，前記冠水通報に伴うリミッター電流制限器(３０Ａ)以内とし，電力量計側器(９)と計側収集保存送信機器(１０)において，前記負荷側(８)に係る消費使用の電力量とし，継続して計測値を収集と保存する手段を備えた送信配信総合システム。
【００２６】
冠水等に伴う１時間雨量が６２ミリ等の観測通報における需要家において，リミッター電流制限器(３０Ａ)に接続された主開閉器(２)に係る開放手段に伴う，放電の開放手段とし，放電の開放手段に伴う一次送りブレーカ(７)負荷側(８)の検知操作手段１ｂは，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)と，各操作スイッチ(Ｓ１)〜(Ｓ６)に係る開放手段を具備する構成とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，前記リミッター電流制限器(３０Ａ)に接続された主開閉器(２)は，再投入オン手段とし，一次送りブレーカ(７)負荷側(８)に係る，検知操作手段及び常時供給機器に係る消費使用の電力量は，前記冠水通報に伴うリミッター電流制限器(３０Ａ)以内とし，電力量計側器(９)と計側収集保存送信機器(１０)において，前記負荷側(８)に係る消費使用の電力量とし，共に継続して計測値を収集と保存する手段を備えた送信配信総合システム。
【発明の効果】
【００２７】
１．消費使用の電力量として，共に継続して計測値を収集と保存する手段を備えた送信配信総合システムは，前記消費使用の電力量を，冠水通報に伴う需要家において在宅情報手段を具備する構成とし，
２．需要家による以降の操作は，消費者保護情報と，インターネットとＬＡＮ接続パソコンを用いて，冠水通報に伴う需要家において在宅情報として，電気設備のバリヤフリー対策とし，冠水通報に伴う需要家においての前記在宅情報をもとに，駆け付ける手段になる効果がある。
３．冠水通報に伴う需要家において、前記電気設備のバリヤフリー対策には，測定対象体の漏れ状態直列２１及び測定対象体のトラッキング状態並列２０と，測定装置等を用いて定期的に測定する手段になる効果がある。
４．インターネットとＬＡＮ接続パソコンを用いて，冠水通報に伴う需要家において、在宅情報が得られる手段になる効果がある。
【図面の簡単な説明】
【００２８】
【図１】リミッター電流制限器(３０Ａ)と消費使用の電力量を共に継続して  計測値を収集と保存する手段を備えた送信配信総合システム構成図
【図２】リミッター電流制限器(３０Ａ)と消費使用の電力量を共に継続して  計測値を収集と保存する手段を備えた送信配信総合システムブロック図
【発明を実施するための形態】
【００２９】
図1記載の送信配信総合システム構成図を用いて，本発明の１時間雨量が６２ミリ等の観測通報に伴う，実施の形態に伴う操作手段と作用の説明をする。
１．冠水等に伴う１時間雨量が６２ミリ等の観測通報における需要家において，前記冠水通報に伴うリミッター電流制限器(１)の定格契約(Ａ)に接続された，一次送りブレーカ(７)負荷側(８)の検知操作手段１ａは，前記１時間雨量が６２ミリ等の観測通報に伴い，手動操作スイッチで，主開閉器(２)のＤＣ開放手段と，リミッター電流制限器(１)の定格契約(Ａ)をリミッター電流制限器(３０Ａ)に切り替わり手段とし，
２．前記リミッター電流制限器(３０Ａ)に接続された主開閉器(２)の開放手段に伴う，一次送りブレーカ(７)負荷側(８)の検知操作手段２ａは，接地極Ｅ３‐１に係るスイッチ(Ｓ１)をＤＣでオンと，分岐ブレーカ(３)負荷側(４)のＬ側幹線(Ｌ４)に係る，帯電を放電する手段とし，
３．前記放電に伴う一次送りブレーカ(７)負荷側(８)の検知操作手段３ａは，前記リミッター電流制限器(３０Ａ)に接続された主開閉器(２)に係る開放手段の検知と放電手段の構成において，接地極Ｅ３‐１に係るスイッチ(Ｓ１)をＤＣでオフと，放電の開放手段とし，
４．需要家側には，前記放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器(３０Ａ以内)とし，電力量計側器(９)と計側収集保存送信機器(１０)において，消費使用の電力量とし，継続して計測値を収集と保存する手段を備えた送信配信総合システム。
【００３０】
５．前記放電の開放手段に伴う，一次送りブレーカ(７)負荷側(８)の検知操作手段１ｂは，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)を具備する構成とし，以降の操作は，電源側リモコン開閉器(Ｓ４)はオフと，ゼロクロス開閉器(Ｓ５)もオフと，前記電力量計側器(１１)の電源側スイッチ(Ｓ３)はオフと，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフと，各操作スイッチ(Ｓ１)〜(Ｓ６)に係る開放手段となる。
【００３１】
６．前記各操作スイッチ(Ｓ１)〜(Ｓ６)の開放手段に伴う，一次送りブレーカ(７)負荷側(８)の検知操作手段２ｂは，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知であって，前記ドリフト電流ｅ４は，中性Ｎ側幹線(Ｎ４)に係る線路の帯電とし，分岐ブレーカ(３)負荷側(４)の線路(４Ｌ)と(４Ｎ)の間には，操作を目的としたクリップ測定対象体(２０)に係る並列接続状態と，線路(４Ｌ)と(４Ｎ)に係る帯電手段となる。
【００３２】
７．前記点灯の検知と線路の帯電手段に伴う，一次送りブレーカ(７)負荷側(８)の検知操作手段３ｂは，線路の帯電に伴う点灯の検知と，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００３３】
８．前記負荷側(５３)に係る回路開放に伴う消灯の検知手段において，一次送りブレーカ(７)負荷側(８)の検知操作手段４ｂは，中性Ｎ側中性極スイッチ(Ｓ６)はオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段を具備する構成となる。
【００３４】
９．よって，分岐ブレーカ(３)負荷側(４)の線路(４Ｌ)と(４Ｎ)の間には，操作を目的としたクリップ測定対象体(２０)に係る並列接続状態であって，前記分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，各操作スイッチ(Ｓ１)〜(Ｓ６)に係る開放手段を具備する構成とし，以降の操作は，クリップ測定対象体(２０)の取り外し手段を具備する構成とし，分岐ブレーカ(３)負荷側(４)の線路(４Ｌ)と(４Ｎ)の間において，並列接続状態に係る線路の帯電に伴う電流検知(５１)であって，分岐ブレーカ(３)の回路遮断と遮断回路(５２)に係る消灯の検知と，各操作スイッチ(Ｓ１)〜(Ｓ６)に係る開放における確認構成手段は，経年劣化等に伴う非破壊確認手段を具備する構成となる。
【００３５】
１０．前記クリップ測定対象体(２０)の取り外し手段に伴う一次送りブレーカ(７)負荷側(８)の検知操作手段５ｂは，分岐ブレーカ(３)負荷側(４)の中性Ｎ側幹線(Ｎ４)に係る線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)線路の端末接地極付コンセント(１９)には，操作を目的とした，プラグ接続測定対象体(２１)であって，測定対象体(２１)の機器内負荷側線路(Ｌ側)及び線路(Ｎ側)と電気用品の外装(２６)間における漏れ接続(Ｒ３)及び漏れ接続(Ｒ４)において，直列接続状態に係る線路帯電手段とし，以降の操作は，電源側リモコン開閉器(Ｓ４)はオフとゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知であって，前記ドリフト電流ｅ４は中性Ｎ側幹線(４Ｎ)に係る線路の帯電とし，分岐ブレーカ(３)負荷側(４)線路の端末接地極付コンセント(１９)には，操作を目的とした，プラグ接続測定対象体(２１)における直列接続状態とし，前記直列接続状態に係る線路の帯電手段を具備する構成となる。
【００３６】
１１．前記点灯の検知と線路の帯電手段に伴う一次送りブレーカ(７)負荷側(８)の検知操作手段６ｂは，線路の帯電に伴う点灯の検知と，分岐ブレーカ(３)負荷側(４)の中性Ｎ側幹線(４Ｎ)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００３７】
１２．前記負荷側(５３)に係る回路開放に伴う消灯の検知手段であって，一次送りブレーカ(７)負荷側(８)の検知操作手段７ｂは，中性Ｎ側中性極スイッチ(Ｓ６)はオフと，一次送りブレーカ(７)負荷側(８)に係るスイッチ(Ｓ２)もオフと，各操作スイッチ(Ｓ１)〜(Ｓ６)に係る開放手段となる。
【００３８】
１３．よって，プラグ接続測定対象体(２１)を用いた手段を具備する構成は，分岐ブレーカ(３)負荷側(４)の中性Ｎ側幹線(Ｎ４)に係る線路の帯電に伴う点灯の検知と，分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，以降の操作は，回路遮断された分岐ブレーカ(５２)に係る入力側を(Ｘ)と，開放された各操作スイッチ(Ｓ１)〜(Ｓ６)に係る入力側を(Ｙ)とする手段となる。
【００３９】
１４．各操作スイッチ(Ｓ１)〜(Ｓ６)に係る開放手段と，回路遮断分岐ブレーカ(５２)に係る開放手段に伴う，一次送りブレーカ(７)負荷側(８)の検知操作手段４ａは，回路遮断された分岐ブレーカ(５２)に係る入力側を(Ｘ)と，開放された各操作スイッチ(Ｓ１)〜(Ｓ６)に係る入力側を(Ｙ)とする手段と，主開閉器(２)に係る再投入オン手段を具備する構成となる。
【００４０】
１５．冠水通報に伴う需要家において，その後の復旧対策として，１時間雨量が６２ミリの観測通報に伴い，手動操作でリミッター電流制限器(１)に接続された主開閉器(２)をＤＣ開放手段と，リミッター電流制限器(１)の定格契約(Ａ)をリミッター電流制限器(３０Ａ)に切り替わり手段とし，前記冠水通報に伴う検知とリミッター電流制限器(３０Ａ)に接続された主開閉器(２)に係る再投入オン手段に伴う，回路開放された分岐ブレーカ(５２)に係る入力側(Ｘ)と，開放された各操作スイッチ(Ｓ１)〜(Ｓ６)に係る入力側(Ｙ)に伴う切り替わり手段を具備する構成となる。
【００４１】
Ａ．主開閉器(２)に係る再投入オン手段に伴う，回路開放された分岐ブレーカ(５２)に係る入力側(Ｘ)に伴う切り替わり手段であって，供給入力に伴う操作手段は，
イ．回路開放された分岐ブレーカ(５２)おいては，分電盤内機器となるので回路開放確認と，分岐ブレーカ(３)負荷側(４)の線路(４Ｌ)と(４Ｎ)の間には，操作を目的としたクリップ測定対象体(２０)に係る並列接続状態においての修復依頼となる手段を具備する構成となる。
ロ．回路開放された分岐ブレーカ(５２)おいては，分電盤内機器となるので開放確認と，分岐ブレーカ(３)負荷側(４)線路の端末接地極付コンセント(１９)には，操作を目的とした，プラグ接続測定対象体(２１)に係る直列接続状態とし，測定対象体(２１)の機器内負荷側線路(Ｌ側)及び線路(Ｎ側)と電気用品の外装(２６)間における漏れ接続(Ｒ３)及び漏れ接続(Ｒ４)は，直列接続状態においての修復依頼となる手段を具備する構成となる。
【００４２】
Ｂ．主開閉器(２)に係る再投入オン手段に伴う，開放された各操作スイッチ(Ｓ１)〜(Ｓ６)に係る入力側(Ｙ)に伴う切り替わり手段において，供給入力に伴う操作手段は，開放された各操作スイッチ(Ｓ１)〜(Ｓ６)に係る開放確認手段と，冠水通報に伴う検知と，リミッター電流制限器(３０Ａ)に切り替わり手段に伴う，供給入力接続であって，手動投入操作における確認使用となる。
【００４３】
Ｃ．以降の操作は，電力量計側器(１１)の電源側スイッチ(Ｓ３)をオンとし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は，手動オフに伴う開放を確認とし，電源側リモコン開閉器(Ｓ４)をオンとゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源側線(４Ｌ)に係る線路の帯電と，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オフに伴う並列接続状態(トラッキング状態Ｒ２)は，並列接続状態においての修復依頼とし，点灯確認使用となる手段であって，前記点灯確認後においては，電源側リモコン開閉器(Ｓ４)はオフとゼロクロス開閉器(Ｓ５)はオフと，中性Ｎ側中性極スイッチ(Ｓ６)はオフとする。
【００４４】
Ｄ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オンに伴う確認とし，電源側リモコン開閉器(Ｓ４)をオンとゼロクロス開閉器(Ｓ５)はオフと，中性Ｎ側中性極スイッチ(Ｓ６)はオフとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，前記ドリフト電流ｅ７は，電源側線(４Ｌ)に係る線路の帯電と，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オンに伴う機器内負荷側線路(Ｌ側)及び線路(Ｎ側)と電気用品の外装(２６)間における漏れ接続(Ｒ３)及び漏れ接続(Ｒ４)は，直列接続状態においての修復依頼とし，点灯確認使用となる手段であって，前記点灯確認後においては，電源側リモコン開閉器(Ｓ４)はオフとゼロクロス開閉器(Ｓ５)はオフと，中性Ｎ側中性極スイッチ(Ｓ６)はオフとする。
【００４５】
冠水通報に伴うリミッター電流制限器(３０Ａ以内)における待機電流に係る省エネスイッチ手段を具備する構成は，主開閉器(２)に係る再投入オン手段に伴う，開放された各操作スイッチ(Ｓ１)〜(Ｓ６)に係る開放確認手段と，冠水通報に伴うリミッター電流制限器(３０Ａ以内)での，手動投入操作における確認使用であって，
Ｅ．以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知であって，ドリフト電流ｅ７は，電源側に係る線路の帯電とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)及び不点灯を確認とし，中性Ｎ側中性極スイッチ(Ｓ６)をオフとし，手動オンに伴う直列接続状態での点灯は，漏れ接続(Ｒ３)及び漏れ接続(Ｒ４)と不点灯を確認と，中性Ｎ側中性極スイッチ(Ｓ６)をオンと，手動オンに伴う負荷機器(２７)並列接続状態に係る点灯及び不点灯を断線確認とし，手動オンに伴う負荷機器(２７)並列接続状態に係る点灯は，ゼロクロス開閉器(Ｓ５)のオンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００４６】
冠水等に伴う１時間雨量が６２ミリ等の観測通報における需要家において，前記冠水通報に伴うリミッター電流制限器(１)の定格契約(Ａ)に接続された，一次送りブレーカ(７)負荷側(８)の検知操作手段１ａは，観測通報に伴い，手動操作でリミッター電流制限器(１)に接続された主開閉器(２)のＤＣ開放手段と，リミッター電流制限器(１)の定格契約(Ａ)をリミッター電流制限器(３０Ａ)に切り替わり手段とし，リミッター電流制限器(３０Ａ)に接続された主開閉器(２)の開放に伴う，一次送りブレーカ(７)負荷側(８)の検知操作手段２ａは，接地極Ｅ３‐１に係るスイッチ(Ｓ１)をＤＣでオンに伴う分岐ブレーカ(３)負荷側(４)のＬ側幹線(Ｌ４)に係る，帯電を放電する手段とし，前記放電に伴う一次送りブレーカ(７)負荷側(８)の検知操作手段３ａは，主開閉器(２)に係る開放手段と放電手段の構成において，接地極Ｅ３‐１に係るスイッチ(Ｓ１)をＤＣでオフに伴う放電の開放手段を具備する構成とし，需要家側には，前記放電の開放手段を具備する構成に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，前記冠水通報に伴うリミッター電流制限器(３０Ａ)以内とし，電力量計側器(９)と計側収集保存送信機器(１０)において，前記負荷側(８)に係る消費使用の電力量とし，継続して計測値を収集と保存する手段を備えた送信配信総合システム。
【００４７】
冠水等に伴う１時間雨量が６２ミリ等の観測通報における需要家において，リミッター電流制限器(３０Ａ)に接続された主開閉器(２)に係る開放手段に伴う，放電の開放手段とし，前記放電の開放手段に伴う一次送りブレーカ(７)負荷側(８)の検知操作手段１ｂは，分岐ブレーカ(３)負荷側(４)の中性Ｎ側幹線(４Ｎ)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)と，各操作スイッチ(Ｓ１)〜(Ｓ６)に係る開放手段を具備する構成とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，前記リミッター電流制限器(３０Ａ)に接続された主開閉器(２)は，再投入オン手段とし，一次送りブレーカ(７)負荷側(８)に係る，検知操作手段及び常時供給機器に係る消費使用の電力量は，前記冠水通報に伴うリミッター電流制限器(３０Ａ)以内とし，電力量計側器(９)と計側収集保存送信機器(１０)において，前記負荷側(８)に係る消費使用の電力量とし，共に継続して計測値を収集と保存する手段を備えた送信配信総合システム。
【００４８】
１．消費使用の電力量として，共に継続して計測値を収集と保存する手段を備えた送信配信総合システムは，前記消費使用の電力量を，冠水通報に伴う需要家において在宅情報手段を具備する構成とし，
２．需要家による以降の操作は，消費者保護情報と，インターネットとＬＡＮ接続パソコンを用いて，冠水通報に伴う需要家において在宅情報として，電気設備のバリヤフリー対策とし，冠水通報に伴う需要家においての前記在宅情報をもとに，駆け付ける手段になる効果がある。
３．冠水通報に伴う需要家において、前記電気設備のバリヤフリー対策には，測定対象体の漏れ状態直列２１及び測定対象体のトラッキング状態並列２０と，測定装置等を用いて定期的に測定する手段になる効果がある。
４．インターネットとＬＡＮ接続パソコンを用いて，冠水通報に伴う需要家において、在宅情報が得られる手段になる効果がある。
【符号の説明】
【００４９】
１.リミッター電流制限器３０Ａ，２．主開閉器２，
３.分岐ブレーカ３，４Ｌ.負荷側４Ｌ，４Ｎ.負荷側４Ｎ，
７.一次送りブレーカ７，８Ｎ.負荷側８Ｎ，８Ｌ.負荷側８Ｌ，
９.電力量計側器９，１０.計側収集保存送信機器１０，
１１.電力量計側器１１，
１９.端末接地極付コンセント１９，２０.クリップ測定対象体２０，
２１.プラグ接続測定対象体２１，
２６.電気用品の外装２６，２７.負荷機器２７，
５１.線路の帯電に伴う電流検知５１，５２.遮断と遮断回路５２，
Ｐ１.電源側Ｐ１，Ｐ２.中性側Ｐ２，Ｌ４.電源Ｌ側４Ｌ，
Ｎ４.中性Ｎ側Ｎ４，４Ｌ.電源４Ｌ，４Ｎ.中性４Ｎ，
Ｒ２.トラッキング状態Ｒ２，Ｒ３.漏れ接続Ｒ３，Ｒ４.漏れ接続Ｒ４，
ｅ１.ネオンランプｅ１，ｅ２.ＬＥＤｅ２，ｅ３.フォトカプラーｅ３，
ｅ４.ドリフト電流ｅ４，
ｅ５.並列接続ネオンランプｅ５，ｅ６.ＬＥＤｅ６，
ｅ７.ドリフト電流ｅ７，
Ｘ.電源側Ｐ１，Ｘ.中性側Ｐ２，Ｙ.電源側Ｐ１，Ｙ.中性側Ｐ２，
Ｓ１.接地極Ｅ３−１に係るスイッチＳ１，Ｓ２.
負荷側８に係るスイッチＳ２，Ｓ３.電源側スイッチＳ３，
Ｓ４.電源側リモコン開閉器Ｓ４，Ｓ５.ゼロクロス開閉器Ｓ５，
Ｓ６.中性Ｎ側中性極スイッチＳ６，Ｓ７.接地極Ｅ３−１に係るスイッチＳ７，Ｓ８.負荷機器２７の電源側スイッチＳ８，
一次送りブレーカ７負荷側８の検知操作手段は：１ａ，２ａ，３ａ，４ａ，
一次送りブレーカ７負荷側８の検知操作手段は：１ｂ，２ｂ，３ｂ，４ｂ，５ｂ，６ｂ，７ｂ，
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
冠水に伴う１時間雨量が６２ミリの観測通報における，需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，観測通報に伴い，手動操作でリミッター電流制限器(１)に接続された主開閉器(２)のＤＣ開放手段と，リミッター電流制限器(１)の定格契約Ａをリミッター電流制限器３０Ａに切り替わり手段とし，リミッター電流制限器３０Ａに接続された主開閉器(２)の開放に伴う，一次送りブレーカ(７)負荷側(８)の検知操作手段(２ａ)は，接地極Ｅ３‐１に係るスイッチ(Ｓ１)をＤＣでオンに伴う分岐ブレーカ(３)負荷側(４)のＬ側幹線(Ｌ４)に係る，帯電を放電する手段とし，放電に伴う一次送りブレーカ(７)負荷側(８)の検知操作手段(３ａ)は，主開閉器(２)に係る開放手段と放電手段において，接地極Ｅ３‐１に係るスイッチ(Ｓ１)をＤＣでオフに伴う放電の開放手段とし，需要家の負荷機器を接続した分岐回路に分配供給するための電力分電盤において，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，継続して計測値を収集と保存する手段を備えた送信配信総合システム。
【請求項２】
冠水に伴う１時間雨量が６２ミリの観測通報における，需要家の負荷機器を接続した分岐回路に分配供給するための電力分電盤において，リミッター電流制限器３０Ａに接続された主開閉器(２)に係る開放手段に伴う，放電の開放手段とし，放電の開放手段に伴う一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的としたクリップ測定対象体(２０)と，各操作スイッチ(Ｓ１)〜(Ｓ６)に係る開放手段とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器３０Ａに接続された主開閉器(２)は，再投入オン手段と，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，共に継続して計測値を収集と保存する手段を備えた請求項１記載の送信配信総合システム。
【請求項３】
冠水通報における，需要家の負荷機器を接続した分岐回路に分配供給するための電力分電盤であって，リミッター電流制限器３０Ａ以内における待機電流に係る省エネスイッチ手段は，主開閉器(２)に係る再投入オン手段に伴う，開放された各操作スイッチ(Ｓ１)〜(Ｓ６)に係る開放確認手段と，冠水通報に伴うリミッター電流制限器３０Ａ以内での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側に係る線路の帯電手段とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)又は不点灯を確認手段とし，中性Ｎ側中性極スイッチ(Ｓ６)をオフと，手動オンに伴う直列接続状態での点灯は，漏れ接続(Ｒ３)及び漏れ接続(Ｒ４)又は不点灯を確認手段とし，中性Ｎ側中性極スイッチ(Ｓ６)をオンと，手動オンに伴う負荷機器(２７)並列接続状態に係る点灯又は不点灯を断線確認手段とし，手動オンに伴う負荷機器(２７)並列接続状態に係る点灯手段は，ゼロクロス開閉器(Ｓ５)の自動オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた請求項１または２記載の送信配信総合システムと待機電流に係る省エネスイッチ方法。
【手続補正２】
【補正対象書類名】明細書
【補正対象項目名】全文
【補正方法】変更
【補正の内容】
【発明の詳細な説明】
【技術分野】
【０００１】
本発明は，平成２６年７月京都府福知山市における，２４時間雨量が３００ミリを超え，市街地が冠水になり，冠水に伴う１時間雨量が６２ミリの観測通報における，需要家の負荷機器を接続した分岐回路に分配供給するための電力分電盤において，その後の復旧対策として，１時間雨量が６２ミリの観測通知に伴い手動操作スイッチで，主開閉器(２)のＤＣ開放手段と，リミッター電流制限器(１)の定格契約Ａをリミッター電流制限器３０Ａに切り替わり手段と，リミッター電流制限器３０Ａに接続された主開閉器(２)をＤＣ開放手段とし，以降の操作は，スイッチ(Ｓ２)とスイッチ(Ｓ６)をオンとする手段と，操作スイッチで漏れ接続状態直列における帯電に伴う電流検知(５１)で，回路遮断と遮断された分岐ブレーカ(５２)負荷側(５３)における回路開放に係る消灯の検知手段とし，操作スイッチで各スイッチ(Ｓ１)〜(Ｓ６)はオフとする手段と，操作スイッチで各入力側に切り替わり手段とし，操作スイッチでリミッター電流制限器３０Ａに接続された主開閉器(２)を再投入オン手段に関するものである。
【背景技術】
【０００２】
例えば「電気用品安全法における電気用品の技術上の基準を定める省令の取り扱い細則」や「ＩＥＣ６０３３５−１：１９９４の国際標準規格」では，電気用品（測定対象体）に接続される２本の交流電源線（以下，「電源線」ともいう）のうちいずれか一本と電気用品の外装（露出充電部）との間の漏れ電流を測定する主旨が指示されている，この種の漏れ電流を測定可能な漏れ電流測定装置として（特許文献１，特許文献２）や，低圧電気設備の漏電電流状態を測定する装置（特許文献３）及び計測値を収集と保存する手段を備えた総合システムと待機電流に係る省エネスイッチ方法（特許文献４）が知られている。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【特許文献４】特願２０１４−１１７９９９号
【発明の概要】
【発明が解決しようとする課題】
【０００４】
しかしながら，地震における需要家において，（特許文献４）の従来技術では，地震の検知とリミッター電流制限器に接続の主幹の開放と，放電スイッチの投入及び開放で，幹線の帯電を放電とし，次に，電気用品（測定対象体）を用いた漏れ電流を測定と検知であって，分岐ブレーカの負荷側における回路に係る検知確認と，分岐ブレーカの開放による回路の開放とで構成されている。
【０００５】
しかも，地震保険の契約には，地震で避難する時は，主開閉器又は電気のブレーカをオフにするとなっている。しかし，地震保険に係る主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器に接続の一次送りブレーカ負荷側に設置した電力量計側器による各機器の使用消費電流と，それ以降の消費者保護策は，なされていない，前記発明は，これらの問題点を解決するためになされたものである。
しかも，冠水に係る損害保険の契約には，主開閉器又は電気のブレーカをオフにするとなっている。
【０００６】
しかし，冠水に係る損害保険に伴う主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器(１)に接続された一次送りブレーカ負荷側に設置した電力量計側器による各機器の使用消費電流と，以降の操作と，消費者保護策は，なされていない。
本発明は，これらの問題点を解決するためになされたものである。
【課題を解決するための手段】
【０００７】
本発明は，１時間雨量が６２ミリの観測に伴い，冠水に伴う１時間雨量が６２ミリの観測通報における，需要家の負荷機器を接続した分岐回路に分配供給するための電力分電盤において，その後の復旧対策として，手動操作スイッチで，主開閉器(２)の開放手段と，リミッター電流制限器(１)の定格契約Ａをリミッター電流制限器３０Ａに切り替わり手段とし，以降の操作は，スイッチ(Ｓ２)とスイッチ(Ｓ６)をオンとする手段と，漏れ接続状態直列における帯電に伴う電流検知(５１)で，回路遮断と遮断された分岐ブレーカ(５２)負荷側(５３)における回路開放に係る消灯の検知手段と，各操作スイッチ(Ｓ１)〜(Ｓ６)はオフとする手段とし，操作で各入力側に切り替わり手段と，リミッター電流制限器３０Ａに接続された主開閉器(２)を再投入オン手段に関するものである。
【０００８】
１．冠水に伴う１時間雨量が６２ミリの観測通報における，需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，１時間雨量が６２ミリの観測通報に伴い，手動操作スイッチで，主開閉器(２)の開放手段と，リミッター電流制限器(１)の定格契約Ａをリミッター電流制限器３０Ａに切り替わり手段とし，
２．リミッター電流制限器３０Ａに接続された主開閉器(２)の開放手段に伴う，一次送りブレーカ(７)負荷側(８)の検知操作手段(２ａ)は，接地極Ｅ３‐１に係るスイッチ(Ｓ１)をＤＣでオンと，分岐ブレーカ(３)負荷側(４)のＬ側幹線(Ｌ４)に係る，帯電を放電する手段とし，
３．放電に伴う一次送りブレーカ(７)負荷側(８)の検知操作手段(３ａ)は，リミッター電流制限器３０Ａに接続された主開閉器(２)に係る開放手段の検知と放電手段において，接地極Ｅ３‐１に係るスイッチ(Ｓ１)をＤＣでオフと，放電の開放手段とし，
４．需要家の負荷機器を接続した分岐回路に分配供給するための電力分電盤においては，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，消費使用の電力量とし，継続して計測値を収集と保存する手段を備えた送信配信総合システム。
【０００９】
５．放電の開放手段に伴う，一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)と，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)とし，以降の操作は，電源側リモコン開閉器(Ｓ４)はオフと，ゼロクロス開閉器(Ｓ５)もオフと，電力量計側器(１１)の電源側スイッチ(Ｓ３)はオフと，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフとし，各操作スイッチ(Ｓ１)〜(Ｓ６)に係る開放手段となる。
【００１０】
６．各操作スイッチ(Ｓ１)〜(Ｓ６)に係る開放手段に伴う，一次送りブレーカ(７)負荷側(８)の検知操作手段(２ｂ)は，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知手段であって，ドリフト電流ｅ４は，中性Ｎ側幹線(Ｎ４)に係る線路の帯電手段とし，分岐ブレーカ(３)負荷側(４)の線路(４Ｌ)と(４Ｎ)の間には，操作を目的とした，クリップ測定対象体(２０)に係る並列接続状態と，線路(４Ｌ)と(４Ｎ)に係る帯電手段となる。
【００１１】
７．点灯の検知手段と線路の帯電手段に伴う，一次送りブレーカ(７)負荷側(８)の検知操作手段(３ｂ)は，線路の帯電に伴う点灯の検知手段と，分岐ブレーカ(３)負荷側(４)の中性Ｎ側幹線(Ｎ４)に係る，線路の帯電に伴う電流検知(５１)と，帯電検知に伴う分岐回路遮断手段とし，回路遮断された分岐ブレーカ(５２)の負荷側(５３)に係る回路開放に伴う消灯の検知手段となる。 
【００１２】
８．負荷側(５３)に係る回路開放に伴う消灯の検知手段において，一次送りブレーカ(７)負荷側(８)の検知操作手段(４ｂ)は，中性Ｎ側中性極スイッチ(Ｓ６)はオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段となる。
【００１３】
９．よって，分岐ブレーカ(３)負荷側(４)の線路(４Ｌ)と(４Ｎ)の間には，操作を目的とした，クリップ測定対象体(２０)に係る並列接続状態であって，分岐ブレーカ(３)負荷側(４)の中性Ｎ側幹線(Ｎ４)に係る線路の帯電に伴う電流検知(５１)と，帯電検知に伴う分岐回路遮断と，回路遮断された分岐ブレーカ(５２)の負荷側(５３)に係る回路開放に伴う消灯の検知手段とし，各操作スイッチ(Ｓ１)〜(Ｓ６)に係る開放手段とし，以降の操作は，クリップ測定対象体(２０)の取り外し手段とし，分岐ブレーカ(３)負荷側(４)の線路(４Ｌ)と(４Ｎ)の間において，並列接続状態に係る線路の帯電に伴う電流検知(５１)であって，分岐ブレーカ(３)の回路遮断と遮断回路(５２)に係る消灯の検知手段と，各操作スイッチ(Ｓ１)〜(Ｓ６)に係る開放における確認構成手段は，経年劣化に伴う非破壊確認手段となる。
【００１４】
１０．クリップ測定対象体(２０)の取り外し手段に伴う一次送りブレーカ(７)負荷側(８)の検知操作手段(５ｂ)は，分岐ブレーカ(３)負荷側(４)の中性Ｎ側幹線(Ｎ４)に係る線路の帯電に伴う電流検知(５１)と，分岐ブレーカ(３)負荷側(４)の線路間には，電源側スイッチ(Ｓ３)と電力量計側器(１１)とし，分岐ブレーカ(３)負荷側(４)線路の端末接地極付コンセント(１９)には，操作を目的としたプラグ接続測定対象体(２１)であって，測定対象体(２１)の機器内負荷側線路(Ｌ側)及び線路(Ｎ側)と電気用品の外装(２６)間における漏れ接続(Ｒ３)及び漏れ接続(Ｒ４)において，直列接続状態に係る線路帯電手段とし，以降の操作は，電源側リモコン開閉器(Ｓ４)はオフとゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知手段であって，ドリフト電流ｅ４は中性Ｎ側幹線(４Ｎ)に係る線路の帯電手段とし，分岐ブレーカ(３)負荷側(４)線路の端末接地極付コンセント(１９)には，操作を目的とした，プラグ接続測定対象体(２１)における直列接続状態とし，直列接続状態に係る線路の帯電手段となる。
【００１５】
１１．点灯の検知手段と線路の帯電手段に伴う一次送りブレーカ(７)負荷側(８)の検知操作手段(６ｂ)は，線路の帯電に伴う点灯の検知と，分岐ブレーカ(３)負荷側(４)の中性Ｎ側幹線(４Ｎ)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。 
【００１６】
１２．負荷側(５３)に係る回路開放に伴う消灯の検知手段であって，一次送りブレーカ(７)負荷側(８)の検知操作手段(７ｂ)は，中性Ｎ側中性極スイッチ(Ｓ６)はオフと，一次送りブレーカ(７)負荷側(８)に係るスイッチ(Ｓ２)もオフと，各操作スイッチ(Ｓ１)〜(Ｓ６)に係る開放手段となる。
【００１７】
１３．よって，プラグ接続測定対象体(２１)を用いた手段は，分岐ブレーカ(３)負荷側(４)の中性Ｎ側幹線(Ｎ４)に係る線路の帯電に伴う点灯の検知手段と，分岐ブレーカ(３)負荷側(４)の中性Ｎ側幹線(Ｎ４)に係る線路の帯電に伴う電流検知(５１)と，帯電検知に伴う分岐回路遮断と，回路遮断された分岐ブレーカ(５２)の負荷側(５３)に係る回路開放に伴う消灯の検知手段とし，以降の操作は，回路遮断された分岐ブレーカ(５２)に係る入力側を(Ｘ)とし，開放された各操作スイッチ(Ｓ１)〜(Ｓ６)に係る入力側を(Ｙ)とする手段となる。
【００１８】
１４．各操作スイッチ(Ｓ１)〜(Ｓ６)に係る開放手段と，回路遮断分岐ブレーカ(５２)の開放手段に伴う，一次送りブレーカ(７)負荷側(８)の検知操作手段(４ａ)は，回路遮断された分岐ブレーカ(５２)に係る入力側を(Ｘ)と，開放された各操作スイッチ(Ｓ１)〜(Ｓ６)に係る入力側を(Ｙ)とする手段とし，主開閉器(２)に係る再投入オン手段となる。
【００１９】
１５．冠水通報に伴う需要家の負荷機器を接続した分岐回路に分配供給するための電力分電盤において，その後の復旧対策として，１時間雨量が６２ミリの観測通報に伴い，手動操作でリミッター電流制限器(１)に接続された主開閉器(２)をＤＣ開放手段と，リミッター電流制限器(１)の定格契約Ａをリミッター電流制限器３０Ａに切り替わり手段とし，冠水通報に伴う検知とリミッター電流制限器３０Ａに接続された主開閉器(２)に係る再投入オン手段に伴う，回路開放された分岐ブレーカ(５２)に係る入力側(Ｘ)と，開放された各操作スイッチ(Ｓ１)〜(Ｓ６)に係る入力側(Ｙ)に伴う切り替わり手段となる。 
【００２０】
Ａ．主開閉器(２)に係る再投入オン手段に伴う，回路開放された分岐ブレーカ(５２)に係る入力側(Ｘ)に伴う切り替わり手段であって，供給入力に伴う操作手段は，
イ．回路開放された分岐ブレーカ(５２)おいては，分電盤内機器となるので回路開放確認とし，分岐ブレーカ(３)負荷側(４)の線路(４Ｌ)と(４Ｎ)の間には，操作を目的としたクリップ測定対象体(２０)に係る並列接続状態においての修復依頼となる手段になる。
ロ．回路開放された分岐ブレーカ(５２)おいては，分電盤内機器となるので回路開放確認とし，分岐ブレーカ(３)負荷側(４)線路の端末接地極付コンセント(１９)には，操作を目的とした，プラグ接続測定対象体(２１)に係る直列接続状態とし，測定対象体(２１)の機器内負荷側線路(Ｌ側)及び線路(Ｎ側)と電気用品の外装(２６)間における漏れ接続(Ｒ３)及び漏れ接続(Ｒ４)は，直列接続状態においての修復依頼となる手段になる。
【００２１】
Ｂ．主開閉器(２)に係る再投入オン手段に伴う，開放された各操作スイッチ(Ｓ１)〜(Ｓ６)に係る入力側(Ｙ)に伴う切り替わり手段であって，供給入力に伴う操作手段は，開放された各操作スイッチ(Ｓ１)〜(Ｓ６)に係る開放確認手段と，冠水通報に伴う検知と，リミッター電流制限器３０Ａに係る切り替わり手段に伴う，供給入力接続とし，手動投入操作における確認使用となる。
【００２２】
Ｃ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オフに伴う開放を確認とし，電源側リモコン開閉器(Ｓ４)をオンとゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は手動オフに伴う並列接続状態(トラッキング状態Ｒ２)に係る，並列接続状態においての修復依頼とし，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００２３】
Ｄ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オンに伴う確認とし，電源側リモコン開閉器(Ｓ４)をオンとゼロクロス開閉器(Ｓ５)はオフと，中性Ｎ側中性極スイッチ(Ｓ６)はオフとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オンに伴う機器内負荷側線路(Ｌ側)及び線路(Ｎ側)と電気用品の外装(２６)間における漏れ接続(Ｒ３)及び漏れ接続(Ｒ４)に係る，直列接続状態においての修復依頼とし，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００２４】
冠水通報に伴う需要家の負荷機器を接続した分岐回路に分配供給するための電力分電盤において，リミッター電流制限器３０Ａ以内における待機電流に係る省エネスイッチ手段は，主開閉器(２)に係る再投入オン手段に伴う，開放された各操作スイッチ(Ｓ１)〜(Ｓ６)に係る開放確認手段と，冠水通報に伴うリミッター電流制限器３０Ａ以内での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側に係る線路の帯電手段とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)又は不点灯を確認手段とし，中性Ｎ側中性極スイッチ(Ｓ６)をオフとし，手動オンに伴う直列接続状態での点灯は，漏れ接続(Ｒ３)及び漏れ接続(Ｒ４)又は不点灯を確認手段と，中性Ｎ側中性極スイッチ(Ｓ６)をオンと，手動オンに伴う負荷機器(２７)並列接続状態に係る点灯又は不点灯を断線確認手段とし，手動オンに伴う負荷機器(２７)並列接続状態に係る点灯手段は，ゼロクロス開閉器(Ｓ５)の自動オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００２５】
冠水に伴う１時間雨量が６２ミリの観測通報における，需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，観測通報に伴い，手動操作でリミッター電流制限器(１)に接続された主開閉器(２)のＤＣ開放手段と，リミッター電流制限器(１)の定格契約Ａをリミッター電流制限器３０Ａに切り替わり手段とし，リミッター電流制限器３０Ａに接続された主開閉器(２)の開放に伴う，一次送りブレーカ(７)負荷側(８)の検知操作手段(２ａ)は，接地極Ｅ３‐１に係るスイッチ(Ｓ１)をＤＣでオンに伴う分岐ブレーカ(３)負荷側(４)のＬ側幹線に係る，帯電を放電する手段とし，放電に伴う一次送りブレーカ(７)負荷側(８)の検知操作手段(３ａ)は，主開閉器(２)に係る開放手段と放電手段において，接地極Ｅ３‐１に係るスイッチ(Ｓ１)をＤＣでオフに伴う放電の開放手段とし，需要家の負荷機器を接続した分岐回路に分配供給するための電力分電盤においては，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，継続して計測値を収集と保存する手段を備えた送信配信総合システム。
【００２６】
冠水に伴う１時間雨量が６２ミリの観測通報における，需要家の負荷機器を接続した分岐回路に分配供給するための電力分電盤において，リミッター電流制限器３０Ａに接続された主開閉器(２)に係る開放手段に伴う，放電の開放手段とし，放電の開放手段に伴う一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)と，各操作スイッチ(Ｓ１)〜(Ｓ６)に係る開放手段とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器３０Ａに接続された主開閉器(２)は，再投入オン手段と，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，共に継続して計測値を収集と保存する手段を備えた送信配信総合システム。
【発明の効果】
【００２７】
１．消費使用の電力量として，共に継続して計測値を収集と保存する手段を備えた送信配信総合システムは，消費使用の電力量を，冠水に伴う１時間雨量が６２ミリの観測通報における，需要家の負荷機器を接続した分岐回路に分配供給するための電力分電盤において，在宅消費使用の電力量情報手段とし，
２．需要家による以降の操作は，消費者保護情報と，インターネットとＬＡＮ接続パソコンを用いて，冠水通報に伴う需要家において，在宅消費使用の電力量情報手段と，電気設備のバリヤフリー対策とし，
３．在宅冠水通報に伴う需要家においては，在宅消費使用の電力量情報をもとに，救援者が駆け付ける手段と，インターネットとＬＡＮ接続パソコンを用いて，冠水通報に伴う需要家において、在宅消費使用の電力量情報が得られる手段になる効果がある。
４．なお，冠水通報に伴う需要家において，電気設備のバリヤフリー対策には，測定対象体の漏れ状態直列(２１)及び測定対象体のトラッキング状態並列(２０)と，測定装置等を用いて定期的に測定する手段になる効果がある。
【図面の簡単な説明】
【００２８】
【図１】リミッター電流制限器３０Ａと消費使用の電力量を共に継続して  計測値を収集と保存する手段を備えた送信配信総合システム構成図
【図２】リミッター電流制限器３０Ａと消費使用の電力量を共に継続して  計測値を収集と保存する手段を備えた送信配信総合システムブロック図
【発明を実施するための形態】
【００２９】
図1に記載の送信配信総合システム構成図を用いて，本発明の１時間雨量が６２ミリの観測通報に伴う，実施の形態に伴う操作手段と作用の説明をする。
１．冠水に伴う１時間雨量が６２ミリの観測通報における需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，１時間雨量が６２ミリの観測通報に伴い，手動操作スイッチで，主開閉器(２)のＤＣ開放手段と，リミッター電流制限器(１)の定格契約Ａをリミッター電流制限器３０Ａに切り替わり手段とし，
２．リミッター電流制限器３０Ａに接続された主開閉器(２)の開放手段に伴う，一次送りブレーカ(７)負荷側(８)の検知操作手段(２ａ)は，接地極Ｅ３‐１に係るスイッチ(Ｓ１)をＤＣでオンと，分岐ブレーカ(３)負荷側(４)のＬ側幹線(Ｌ４)に係る，帯電を放電する手段とし，
３．放電に伴う一次送りブレーカ(７)負荷側(８)の検知操作手段(３ａ)は，リミッター電流制限器３０Ａに接続された主開閉器(２)に係る開放手段の検知と放電手段において，接地極Ｅ３‐１に係るスイッチ(Ｓ１)をＤＣでオフと，放電の開放手段とし，
４．需要家側には，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，消費使用の電力量とし，継続して計測値を収集と保存する手段を備えた送信配信総合システム。
【００３０】
５．放電の開放手段に伴う，一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)と，分岐ブレーカ(３)負荷側(４)の線路(４Ｌ)と(４Ｎ)の間には，操作を目的とした，クリップ測定対象体(２０)とし，以降の操作は，電源側リモコン開閉器(Ｓ４)はオフと，ゼロクロス開閉器(Ｓ５)もオフと，電力量計側器(１１)の電源側スイッチ(Ｓ３)はオフと，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフとし，各操作スイッチ(Ｓ１)〜(Ｓ６)に係る開放手段となる。
【００３１】
６．各操作スイッチ(Ｓ１)〜(Ｓ６)の開放手段に伴う，一次送りブレーカ(７)負荷側(８)の検知操作手段(２ｂ)は，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知手段であって，ドリフト電流ｅ４は，中性Ｎ側幹線(Ｎ４)に係る線路の帯電手段とし，分岐ブレーカ(３)負荷側(４)の線路(４Ｌ)と(４Ｎ)の間には，操作を目的としたクリップ測定対象体(２０)に係る並列接続状態と，線路(４Ｌ)と(４Ｎ)に係る帯電手段となる。
【００３２】
７．点灯の検知と線路の帯電手段に伴う，一次送りブレーカ(７)負荷側(８)の検知操作手段(３ｂ)は，線路の帯電に伴う点灯の検知と，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００３３】
８．負荷側(５３)に係る回路開放に伴う消灯の検知手段において，一次送りブレーカ(７)負荷側(８)の検知操作手段(４ｂ)は，中性Ｎ側中性極スイッチ(Ｓ６)はオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段となる。
【００３４】
９．よって，分岐ブレーカ(３)負荷側(４)の線路(４Ｌ)と(４Ｎ)の間には，操作を目的としたクリップ測定対象体(２０)に係る並列接続状態であって，分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，各操作スイッチ(Ｓ１)〜(Ｓ６)に係る開放手段とし，以降の操作は，クリップ測定対象体(２０)の取り外し手段とし，分岐ブレーカ(３)負荷側(４)の線路(４Ｌ)と(４Ｎ)の間において，並列接続状態に係る線路の帯電に伴う電流検知(５１)であって，分岐ブレーカ(３)の回路遮断と遮断回路(５２)に係る消灯の検知と，各操作スイッチ(Ｓ１)〜(Ｓ６)に係る開放における確認構成手段は，経年劣化に伴う非破壊確認手段となる。
【００３５】
１０．クリップ測定対象体(２０)の取り外し手段に伴う一次送りブレーカ(７)負荷側(８)の検知操作手段(５ｂ)は，分岐ブレーカ(３)負荷側(４)の中性Ｎ側幹線(Ｎ４)に係る線路の帯電に伴う電流検知(５１)とし，分岐ブレーカ(３)負荷側(４)の線路間には，電源側スイッチ(Ｓ３)と電力量計側器(１１)と，分岐ブレーカ(３)負荷側(４)線路の端末接地極付コンセント(１９)には，操作を目的とした，プラグ接続測定対象体(２１)であって，測定対象体(２１)の機器内負荷側線路(Ｌ側)及び線路(Ｎ側)と電気用品の外装(２６)間における漏れ接続(Ｒ３)及び漏れ接続(Ｒ４)において，直列接続状態に係る線路帯電手段とし，以降の操作は，電源側リモコン開閉器(Ｓ４)はオフとゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知手段であって，ドリフト電流ｅ４は中性Ｎ側幹線(４Ｎ)に係る線路の帯電手段とし，分岐ブレーカ(３)負荷側(４)線路の端末接地極付コンセント(１９)には，操作を目的とした，プラグ接続測定対象体(２１)における直列接続状態とし，直列接続状態に係る線路の帯電手段となる。
【００３６】
１１．点灯の検知と線路の帯電手段に伴う一次送りブレーカ(７)負荷側(８)の検知操作手段(６ｂ)は，線路の帯電に伴う点灯の検知と，分岐ブレーカ(３)負荷側(４)の中性Ｎ側幹線(４Ｎ)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００３７】
１２．負荷側(５３)に係る回路開放に伴う消灯の検知手段であって，一次送りブレーカ(７)負荷側(８)の検知操作手段(７ｂ)は，中性Ｎ側中性極スイッチ(Ｓ６)はオフと，一次送りブレーカ(７)負荷側(８)に係るスイッチ(Ｓ２)もオフと，各操作スイッチ(Ｓ１)〜(Ｓ６)に係る開放手段となる。
【００３８】
１３．よって，プラグ接続測定対象体(２１)を用いた手段は，分岐ブレーカ(３)負荷側(４)の中性Ｎ側幹線(Ｎ４)に係る線路の帯電に伴う点灯の検知と，分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，以降の操作は，回路遮断された分岐ブレーカ(５２)に係る入力側を(Ｘ)と，開放された各操作スイッチ(Ｓ１)〜(Ｓ６)に係る入力側を(Ｙ)とする手段となる。
【００３９】
１４．各操作スイッチ(Ｓ１)〜(Ｓ６)に係る開放手段と，回路遮断分岐ブレーカ(５２)に係る開放手段に伴う，一次送りブレーカ(７)負荷側(８)の検知操作手段(４ａ)は，回路遮断された分岐ブレーカ(５２)に係る入力側を(Ｘ)と，開放された各操作スイッチ(Ｓ１)〜(Ｓ６)に係る入力側を(Ｙ)とする手段と，主開閉器(２)に係る再投入オン手段となる。
【００４０】
１５．冠水通報に伴う需要家の負荷機器を接続した分岐回路に分配供給するための電力分電盤において，その後の復旧対策として，１時間雨量が６２ミリの観測通報に伴い，手動操作でリミッター電流制限器(１)に接続された主開閉器(２)をＤＣ開放手段と，リミッター電流制限器(１)の定格契約Ａをリミッター電流制限器３０Ａに切り替わり手段とし，冠水通報に伴う検知とリミッター電流制限器３０Ａに接続された主開閉器(２)に係る再投入オン手段に伴う，回路開放された分岐ブレーカ(５２)に係る入力側(Ｘ)と，開放された各操作スイッチ(Ｓ１)〜(Ｓ６)に係る入力側(Ｙ)に伴う切り替わり手段となる。
【００４１】
Ａ．主開閉器(２)に係る再投入オン手段に伴う，回路開放された分岐ブレーカ(５２)に係る入力側(Ｘ)に伴う切り替わり手段であって，供給入力に伴う操作手段は，
イ．回路開放された分岐ブレーカ(５２)おいては，分電盤内機器となるので回路開放確認と，分岐ブレーカ(３)負荷側(４)の線路(４Ｌ)と(４Ｎ)の間には，操作を目的としたクリップ測定対象体(２０)に係る並列接続状態においての修復依頼となる手段になる。
ロ．回路開放された分岐ブレーカ(５２)おいては，分電盤内機器となるので開放確認と，分岐ブレーカ(３)負荷側(４)線路の端末接地極付コンセント(１９)には，操作を目的とした，プラグ接続測定対象体(２１)に係る直列接続状態とし，測定対象体(２１)の機器内負荷側線路(Ｌ側)及び線路(Ｎ側)と電気用品の外装(２６)間における漏れ接続(Ｒ３)及び漏れ接続(Ｒ４)は，直列接続状態においての修復依頼となる手段になる。
【００４２】
Ｂ．主開閉器(２)に係る再投入オン手段に伴う，開放された各操作スイッチ(Ｓ１)〜(Ｓ６)に係る入力側(Ｙ)に伴う切り替わり手段において，供給入力に伴う操作手段は，開放された各操作スイッチ(Ｓ１)〜(Ｓ６)に係る開放確認手段と，冠水通報に伴う検知と，リミッター電流制限器３０Ａに切り替わり手段に伴う，供給入力接続であって，手動投入操作における確認使用となる。
【００４３】
Ｃ．以降の操作は，電力量計側器(１１)の電源側スイッチ(Ｓ３)をオンと，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は，手動オフに伴う開放を確認とし，電源側リモコン開閉器(Ｓ４)をオンとゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オフに伴う並列接続状態(トラッキング状態Ｒ２)は，並列接続状態においての修復依頼とし，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００４４】
Ｄ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オンに伴う確認とし，電源側リモコン開閉器(Ｓ４)をオンとゼロクロス開閉器(Ｓ５)はオフと，中性Ｎ側中性極スイッチ(Ｓ６)はオフとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オンに伴う機器内負荷側線路(Ｌ側)及び線路(Ｎ側)と電気用品の外装(２６)間における漏れ接続(Ｒ３)及び漏れ接続(Ｒ４)は，直列接続状態においての修復依頼と，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００４５】
冠水通報に伴う需要家の負荷機器を接続した分岐回路に分配供給するための電力分電盤において，リミッター電流制限器３０Ａ以内における待機電流に係る省エネスイッチ手段は，主開閉器(２)に係る再投入オン手段に伴う，開放された各操作スイッチ(Ｓ１)〜(Ｓ６)に係る開放確認手段と，冠水通報に伴うリミッター電流制限器３０Ａ以内での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側に係る線路の帯電手段とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)又は不点灯を確認手段とし，中性Ｎ側中性極スイッチ(Ｓ６)をオフとし，手動オンに伴う直列接続状態での点灯は，漏れ接続(Ｒ３)及び漏れ接続(Ｒ４)又は不点灯を確認手段と，中性Ｎ側中性極スイッチ(Ｓ６)をオンと，手動オンに伴う負荷機器(２７)並列接続状態に係る点灯又は不点灯を断線確認手段とし，手動オンに伴う負荷機器(２７)並列接続状態に係る点灯手段は，ゼロクロス開閉器(Ｓ５)の自動オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００４６】
冠水に伴う１時間雨量が６２ミリの観測通報における需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，観測通報に伴い，手動操作でリミッター電流制限器(１)に接続された主開閉器(２)のＤＣ開放手段と，リミッター電流制限器(１)の定格契約Ａをリミッター電流制限器３０Ａに切り替わり手段とし，リミッター電流制限器３０Ａに接続された主開閉器(２)の開放に伴う，一次送りブレーカ(７)負荷側(８)の検知操作手段(２ａ)は，接地極Ｅ３‐１に係るスイッチ(Ｓ１)をＤＣでオンに伴う分岐ブレーカ(３)負荷側(４)のＬ側幹線(Ｌ４)に係る，帯電を放電する手段とし，放電に伴う一次送りブレーカ(７)負荷側(８)の検知操作手段(３ａ)は，主開閉器(２)に係る開放手段と放電手段において，接地極Ｅ３‐１に係るスイッチ(Ｓ１)をＤＣでオフに伴う放電の開放手段とし，需要家の負荷機器を接続した分岐回路に分配供給するための電力分電盤においては，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，継続して計測値を収集と保存する手段を備えた送信配信総合システム。
【００４７】
冠水に伴う１時間雨量が６２ミリの観測通報における需要家の負荷機器を接続した分岐回路に分配供給するための電力分電盤において，リミッター電流制限器３０Ａに接続された主開閉器(２)に係る開放手段に伴う，放電の開放手段とし，放電の開放手段に伴う一次送りブレーカ(７)負荷側(８)の検知操作手段(１ｂ)は，分岐ブレーカ(３)負荷側(４)の中性Ｎ側幹線(４Ｎ)に係る，線路の帯電に伴う電流検知(５１)とし，分岐ブレーカ(３)負荷側(４)の線路間には，電源側スイッチ(Ｓ３)と電力量計側器(１１)と，分岐ブレーカ(３)負荷側(４)の線路(４Ｌ)と(４Ｎ)の間には，操作を目的とした，クリップ測定対象体(２０)と，各操作スイッチ(Ｓ１)〜(Ｓ６)に係る開放手段とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器３０Ａに接続された主開閉器(２)は，再投入オン手段とし，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，共に継続して計測値を収集と保存する手段を備えた送信配信総合システム。
【００４８】
１．消費使用の電力量として，共に継続して計測値を収集と保存する手段を備えた送信配信総合システムは，消費使用の電力量を，冠水に伴う１時間雨量が６２ミリの観測通報における，需要家の負荷機器を接続した分岐回路に分配供給するための電力分電盤において，在宅消費使用の電力量情報手段とし，
２．需要家による以降の操作は，消費者保護情報と，インターネットとＬＡＮ接続パソコンを用いて，冠水通報に伴う需要家において，在宅消費使用の電力量情報手段と，電気設備のバリヤフリー対策とし，
３．在宅冠水通報に伴う需要家においては，在宅消費使用の電力量情報をもとに，救援者が駆け付ける手段と，インターネットとＬＡＮ接続パソコンを用いて，冠水通報に伴う需要家において、在宅消費使用の電力量情報が得られる手段になる効果がある。
４．なお，冠水通報に伴う需要家において，電気設備のバリヤフリー対策には，測定対象体の漏れ状態直列(２１)及び測定対象体のトラッキング状態並列(２０)と，測定装置等を用いて定期的に測定する手段になる効果がある。
【符号の説明】
【００４９】
リミッター電流制限器(１)の定格契約Ａをリミッター電流制限器３０Ａに
１.リミッター電流制限器３０Ａ，２．主開閉器(２)，
３.分岐ブレーカ(３)，４Ｌ.負荷側４Ｌ，４Ｎ.負荷側４Ｎ，
７.一次送りブレーカ(７)，負荷側(８)，８Ｌ.８Ｎ，
９.電力量計側器(９)，１０.計側収集保存送信機器(１０)，
１１.電力量計側器(１１)，
１９.端末接地極付コンセント(１９)，２０.クリップ測定対象体(２０)，
２１.プラグ接続測定対象体(２１)，
２６.電気用品の外装(２６)，負荷機器(２７)，
５１.線路の帯電に伴う電流検知(５１)，５２.遮断と遮断回路(５２)，
Ｐ１.電源側(Ｐ１)，Ｐ２.中性側(Ｐ２)，Ｌ４.電源Ｌ側(４Ｌ)，
Ｎ４.中性Ｎ側(Ｎ４)，４Ｌ.電源(４Ｌ)，４Ｎ.中性(４Ｎ)，
Ｒ２.トラッキング状態(Ｒ２)，Ｒ３.漏れ接続(Ｒ３)，Ｒ４.漏れ接続(Ｒ４)，
ｅ１.ネオンランプ(ｅ１)，ｅ２.ＬＥＤ(ｅ２)，ｅ３.フォトカプラー(ｅ３)，
ｅ４.ドリフト電流(ｅ４)，
ｅ５.並列接続ネオンランプ(ｅ５)，ｅ６.ＬＥＤ(ｅ６)，
ｅ７.ドリフト電流(ｅ７)，
Ｘ.電源側(Ｐ１)，Ｘ.中性側(Ｐ２)，Ｙ.電源側(Ｐ１)，Ｙ.中性側(Ｐ２)，
Ｓ１.接地極Ｅ３−１に係るスイッチ(Ｓ１)，(Ｓ２).
負荷側(８)に係るスイッチ(Ｓ２)，Ｓ３.電源側スイッチ(Ｓ３)，
Ｓ４.電源側リモコン開閉器(Ｓ４)，Ｓ５.ゼロクロス開閉器(Ｓ５)，
Ｓ６.中性Ｎ側中性極スイッチ(Ｓ６)，Ｓ７.接地極Ｅ３−１に係るスイッチ(Ｓ７)，
Ｓ８.負荷機器(２７)の電源側スイッチ(Ｓ８)，
一次送りブレーカ(７)負荷側(８)の検知操作手段は：(１ａ)，(２ａ)，(３ａ)，(４ａ)，
一次送りブレーカ(７)負荷側(８)の検知操作手段は：(１ｂ)，(２ｂ)，(３ｂ)，(４ｂ)，
(５ｂ)，(６ｂ)，(７ｂ)，